(57)【要約】本明細書に開示された実施形態によれば、複数のＷＡＮバックホール及び複数の別個のＬＡＮネットワークのトラフィック集約のため、複数のＷＡＮバックホール及び複数の異なるＬＡＮネットワーク上のトラフィックロードバランシングのため、並びに複数の別個のＬＡＮネットワークのために働く複数ＷＡＮバックホールを利用して自己修復動作を実行するために提供される方法、システム、メカニズム、技術、及びデバイスが存在する。例えば、一実施形態では、第１のローカルエリアネットワーク（ＬＡＮ）アクセスデバイスは第１のＬＡＮを確立し、第２のＬＡＮアクセスデバイスは第２のＬＡＮを確立し、第１のワイドエリアネットワーク（ＷＡＮ）バックホール接続はＷＡＮ接続を有する第１のＬＡＮアクセスデバイスを提供し、第２のＷＡＮバックホール接続はＷＡＮ接続を有する第２のＬＡＮアクセスデバイスを提供し、トラフィック集約部は第１のＷＡＮバックホール及び第２のＷＡＮバックホール上で論理的に結合したＷＡＮインターフェースを形成する。いくつかの実施形態では、オプションのトラフィック集約解除部が使用されてもよい。
2015503295.tif 000002
【特許請求の範囲】
【請求項１】
第１のＬＡＮを確立する第１のローカルエリアネットワーク（ＬＡＮ）アクセスデバイスと、
前記第１のＬＡＮとは動作的に異なる第２のＬＡＮを確立する第２のＬＡＮアクセスデバイスと、
前記第１のＬＡＮアクセスデバイスにＷＡＮ接続を提供する第１の広域ネットワーク（ＷＡＮ）バックホール接続と、
前記第２のＬＡＮアクセスデバイスにＷＡＮ接続を提供し、前記第１のＷＡＮバックホール第２のＷＡＮバックホール接続の各々は物理的に別個である前記第２のＷＡＮバックホール接続と、
前記第１のＷＡＮバックホール及び前記第２のＷＡＮバックホール上で論理的に結合したＷＡＮインターフェースを形成するトラフィック集約部と
を含むシステム。
【請求項２】
前記論理的に結合したＷＡＮインターフェースは、前記第１のＬＡＮアクセスデバイス及び前記第２のＬＡＮアクセスデバイスに、前記第１のＷＡＮバックホール接続を介してアクセス可能な第１の帯域幅及び前記第２のＷＡＮバックホール接続を介してアクセス可能な第２の帯域幅の結合を介したＷＡＮ接続を提供する請求項１に記載のシステム。
【請求項３】
前記論理的に結合したＷＡＮインターフェースは、前記第１のＬＡＮアクセスデバイスにＷＡＮ接続を提供し、さらに前記第２のＬＡＮアクセスデバイスにＷＡＮ接続を提供し、前記論理的に結合したＷＡＮインターフェースは、前記第１のＬＡＮアクセスデバイスにそれぞれのＷＡＮ接続を提供することについて前記第１のＷＡＮのバックホール接続に取って代わり、さらに前記第２のＬＡＮアクセスデバイスにそれぞれのＷＡＮ接続を提供することについて前記第２のＷＡＮバックホール接続に取って代わる請求項２に記載のシステム。
【請求項４】
前記第１のＬＡＮアクセスデバイスにＷＡＮ接続を提供する前記第１のＷＡＮバックホール接続は、前記第１のＬＡＮアクセスデバイスに、複数の加入者にデータ接続、音声接続、ビデオ接続、及びモバイルデバイスの接続の一つ以上を提供するサービスプロバイダへの第１のＷＡＮバックホール接続を介してＷＡＮ接続を提供する前記第１のＷＡＮバックホール接続を含み、
前記第２のＬＡＮアクセスデバイスにＷＡＮ接続を提供する前記第２のＷＡＮバックホール接続は、第２のＬＡＮアクセスデバイスに、同一のサービスプロバイダへの物理的に別個の通信リンクを介した同一のサービスプロバイダへの前記第２のＷＡＮバックホール接続を介してＷＡＮ接続を提供する前記第２のＷＡＮバックホール接続を含む請求項１に記載のシステム。
【請求項５】
前記第２のＷＡＮバックホール接続に関連付けられている前記同一のサービスプロバイダへの前記物理的に別個の通信リンクは、前記第１のＷＡＮバックホール接続についてのＩＰアドレスとは別個のインターネットプロトコル（ＩＰ）アドレスによって識別され、
前記第２のＷＡＮバックホール接続に関連付けられている前記同一のサービスプロバイダへの前記物理的に別個の通信リンクは、前記第１のＷＡＮバックホール接続に関連付けられている加入者のアカウントとは別個の加入者のアカウントに関連付けられている請求項４に記載のシステム。
【請求項６】
前記第１のＬＡＮアクセスデバイスにＷＡＮ接続を提供する前記第１のＷＡＮバックホール接続は、複数の加入者にデータ接続、音声接続、ビデオ接続、及びモバイルデバイスの接続の一つ以上を提供する第１のサービスプロバイダへの前記第１のＷＡＮバックホール接続を介して前記第１のＬＡＮアクセスデバイスにＷＡＮ接続を提供する前記第１のＷＡＮバックホール接続を含み、
前記第２のＬＡＮアクセスデバイスにＷＡＮ接続を提供する前記第２のＷＡＮバックホール接続は、前記第１のサービスプロバイダから分離した別個の第２のサービスプロバイダへの前記第２のＷＡＮバックホール接続を介して前記第２のＬＡＮアクセスデバイスにＷＡＮ接続を提供する前記第２のＷＡＮバックホール接続を含む請求項１に記載のシステム。
【請求項７】
前記第１のＬＡＮに由来するトラフィックの少なくとも一部及び前記第２のＬＡＮに由来するトラフィックの少なくとも一部は、前記論理的に結合したＷＡＮインターフェースを通過する請求項１に記載のシステム。
【請求項８】
ａ）前記第１のＬＡＮに由来する第１の複数のトラフィックパケットは、前記トラフィック集約部を通って前記第１のＷＡＮバックホールを介して前記論理的に結合したＷＡＮインターフェースを通過し、
ｂ）前記第１のＬＡＮに由来する第２の複数のトラフィックパケットは、前記トラフィック集約部を通って前記第２のＷＡＮバックホールを介して前記論理的に結合したＷＡＮインターフェースを通過し、
ｃ）前記第２のＬＡＮに由来する第３の複数のトラフィックパケットは、前記トラフィック集約部を通って前記第１のＷＡＮバックホールを介して前記論理的に結合したＷＡＮインターフェースを通過し、
ｄ）前記第２のＬＡＮに由来する第４の複数のトラフィックパケットは、前記トラフィック集約部を通って前記第２のＷＡＮバックホールを介して前記論理的に結合したＷＡＮインターフェースを通過する請求項１に記載のシステム。
【請求項９】
前記第１のＬＡＮは、第１の複数の相互接続されたＬＡＮノードを含み、前記第１の複数の相互接続されたＬＡＮノードの各々は前記第１のＬＡＮアクセスデバイスによって管理されるプライベートインターネットプロトコル（ＩＰ）アドレスによって前記第１のＬＡＮ内において識別可能であり、
前記第２のＬＡＮは、第２の複数の相互接続されたＬＡＮノードを含み、前記第２の複数の相互接続されたＬＡＮノードの各々は前記第２のＬＡＮアクセスデバイスによって管理されるプライベートＩＰアドレスによって前記第２のＬＡＮ内において識別可能であり、
前記第１のＬＡＮアクセスデバイスは、前記第１のＬＡＮアクセスデバイスに割り当てられた第１の固有のパブリックＩＰアドレスを介して識別可能であり、
前記第２のＬＡＮアクセスデバイスは、前記第２のＬＡＮアクセスデバイスに割り当てられた第２の固有のパブリックＩＰアドレスを介して識別可能である請求項１に記載のシステム。
【請求項１０】
前記第１及び第２の固有のパブリックＩＰアドレスの各々は、公衆インターネットを介して直接にアドレス可能であり、
前記第１又は第２の複数の相互接続されたＬＡＮノードは、いずれも前記公衆インターネットを介して直接にアドレス可能ではなく、前記第１又は第２の複数の相互接続されたＬＡＮノードの各々は、前記公衆インターネットからトラフィックを受信するためには前記第１又は第２の複数の相互接続されたＬＡＮノードにそれぞれ関連付けられている対応するプライベートＩＰアドレスにアドレス変換を必要とする請求項９に記載のシステム。
【請求項１１】
前記第１のＬＡＮは、第１の複数の相互接続されたＬＡＮノードを含み、前記第１の複数の相互接続されたＬＡＮノードの各々は、前記第１のＬＡＮアクセスデバイスによって管理される一つ以上の仮想ローカルエリアネットワーク（ＶＬＡＮ）タグによって前記第１のＬＡＮ内で識別可能であり、
前記第２のＬＡＮは、第２の複数の相互接続されたＬＡＮノードを含み、前記第２の複数の相互接続されたＬＡＮノードの各々は、前記第２のＬＡＮアクセスデバイスによって管理される一つ以上のＶＬＡＮタグによって前記第２のＬＡＮ内で識別可能であり、
前記第１のＬＡＮアクセスデバイスは、一つ以上のＶＬＡＮタグを使用したイーサネットレベルのアドレス指定に基づいて、ボイスオーバーインターネットプロトコル（ＶｏＩＰ）サービス及び／又はインターネットプロトコルテレビジョン（ＩＰＴＶ）サービスを前記第１のＬＡＮ内において前記相互接続されたＬＡＮノードの一つ以上に提供し、
前記第２のＬＡＮアクセスデバイスは、一つ以上のＶＬＡＮタグを使用したイーサネットレベルのアドレス指定に基づいて、ＶｏＩＰサービス及び／又はＩＰＴＶサービスを前記第２のＬＡＮ内において前記相互接続されたＬＡＮノードの一つ以上に提供し、
前記第１及び第２の複数の相互接続されたＬＡＮノードのいずれも、前記第１又は第２のＬＡＮアクセスデバイスによってそれぞれ管理される前記一つ以上のＶＬＡＮタグに少なくとも基づいて一意に識別可能である請求項１に記載のシステム。
【請求項１２】
前記トラフィック集約部は、前記第１のＬＡＮアクセスデバイスに関連付けられているパブリックＩＰアドレスとは異なり、前記第２のＬＡＮアクセスデバイスに関連付けられているパブリックＩＰアドレスとは異なるパブリックインターネットプロトコル（ＩＰ）アドレスを含む請求項１に記載のシステム。
【請求項１３】
前記第１のＷＡＮバックホール接続は、前記第１のＬＡＮの第１の転送速度を含み、
前記第２のＷＡＮバックホール接続は、前記第２のＬＡＮの第２の転送速度を含み、
前記論理的に結合したＷＡＮインターフェースは、前記第１の転送速度よりも大きく、前記第２の転送速度よりも大きい前記第１のＬＡＮ及び前記第２のＬＡＮの集約転送速度を含む請求項１に記載のシステム。
【請求項１４】
前記トラフィック集約部は、前記第１のＬＡＮアクセスデバイス及び前記第２のＬＡＮアクセスデバイスの各々から物理的に分離して別個に動作し、
前記トラフィック集約部は、前記第１のＬＡＮアクセスデバイス及び前記第１のＷＡＮバックホール接続間に通信可能にインターフェースされ、前記トラフィック集約部は、前記第１のＬＡＮアクセスデバイス及び第１のＷＡＮバックホール接続の各々への直接通信リンクを有し、
前記トラフィック集約部は、前記第２のＬＡＮアクセスデバイスに通信可能にインターフェースし、前記トラフィック集約部は、前記第２のＷＡＮバックホール接続と直接通信して動作する前記第２のＬＡＮアクセスデバイスを通じた前記第２のＷＡＮバックホール接続への間接通信リンクを含む請求項１に記載のシステム。
【請求項１５】
第３のＬＡＮアクセスデバイスをさらに含み、前記第３のＬＡＮアクセスデバイスは、前記トラフィック集約部及び前記第２のＬＡＮアクセスデバイス間に通信可能にインターフェースされ、前記トラフィック集約部及び前記第２のＬＡＮアクセスデバイスの各々への直接通信リンクを有し、
前記第２のＬＡＮアクセスデバイスに通信可能にインターフェースされた前記トラフィック集約部は、前記第３のＬＡＮアクセスデバイスを通じた前記第２のＬＡＮアクセスデバイスへの間接通信リンクを有する前記トラフィック集約部を含み、前記第３のＬＡＮアクセスデバイスは、前記第１のＬＡＮアクセスデバイス又は前記第２のＬＡＮアクセスデバイスの一つの障害イベントに応答して、前記第１のＷＡＮバックホール及び前記第２のＷＡＮバックホール上に前記論理的に結合したＷＡＮインターフェースへの代替バックアップ通信経路を提供する請求項１４の記載のシステム。
【請求項１６】
前記第１のＷＡＮバックホール接続及び前記第２のＷＡＮバックホール接続間に通信可能にインターフェースされたトラフィック集約解除器をさらに含み、
前記第１のＷＡＮバックホール及び前記第２のＷＡＮバックホール上に論理的に結合したＷＡＮインターフェースを形成する前記トラフィック集約部は、前記第１のＬＡＮ及び前記第２のＬＡＮの両方に由来するトラフィックに関連付けられているインターネットプロトコル（ＩＰ）アドレスを結合するトラフィック集約部を含み、前記トラフィック集約解除器を通じて前記結合したＩＰアドレスを有するトラフィックをさらにルーティングする請求項１５に記載のシステム。
【請求項１７】
前記トラフィック集約解除器は、前記第１及び第２のＷＡＮバックホール接続を介して複数の加入者にデータ接続、音声接続、ビデオ接続、及びモバイルデバイスの接続の一つ以上を提供するサービスプロバイダによって管理され、
前記トラフィック集約解除器は、前記第１のＬＡＮアクセスデバイス、前記第２のＬＡＮアクセスデバイス、前記第３のＬＡＮアクセスデバイス、及び前記トラフィック集約部の各々から物理的に分離して別個に動作する請求項１６に記載のシステム。
【請求項１８】
前記トラフィック集約部は、前記第１のＬＡＮアクセスデバイスの統合されたサブコンポーネントとして動作し、前記第１のＬＡＮアクセスデバイスは前記第２のＬＡＮアクセスデバイスから物理的に分離して別個に動作し、
前記トラフィック集約部は、前記第１のＬＡＮアクセスデバイスの通信インターフェースを介して前記第１のＷＡＮバックホール接続に通信可能にインターフェースされ、
前記トラフィック集約部は、前記第２のＬＡＮアクセスデバイスに通信可能にインターフェースされ、前記トラフィック集約部は、前記第２のＷＡＮバックホール接続と直接通信して動作する前記第２のＬＡＮアクセスデバイスを通じた前記第２のＷＡＮバックホール接続への間接通信リンクを含む請求項１に記載のシステム。
【請求項１９】
前記第１のＷＡＮバックホール接続及び前記第２のＷＡＮバックホール接続間に通信可能にインターフェースされたトラフィック集約解除器をさらに含み、
前記第１のＷＡＮバックホール及び前記第２のＷＡＮバックホール上に論理的に結合したＷＡＮインターフェースを形成する前記トラフィック集約部は、前記第１のＬＡＮ及び前記第２のＬＡＮに由来するトラフィックに関連付けられているインターネットプロトコル（ＩＰ）アドレスを結合し、前記トラフィック集約解除器を通じて前記結合したＩＰアドレスを有するトラフィックをルーティングする前記トラフィック集約部を含む請求項１８に記載のシステム。
【請求項２０】
前記第１のＬＡＮ内で動作する複数のＬＡＮデバイスの少なくとも一つは、前記第１のＬＡＮアクセスデバイスを通じた前記第１のＷＡＮバックホール接続への第１の通信経路を含み、前記第２のＬＡＮアクセスデバイスを通じた前記第２のＷＡＮバックホール接続への第２の通信経路をさらに含む請求項１に記載のシステム。
【請求項２１】
前記少なくとも一つのＬＡＮデバイスは、
前記第１のＬＡＮアクセスデバイスへの第１の無線通信経路及び前記第２のＬＡＮアクセスデバイスへの第２の無線通信経路を、前記第１及び第２の無線通信経路間をそれぞれ多重化することにより同時に維持することが可能である多重無線送受信機と、
前記第１のＬＡＮアクセスデバイスへの前記第１の無線通信経路を確立することが可能であり、前記第１の無線通信経路を終了して前記第２の無線通信経路に切り替えることにより、前記第２のＬＡＮアクセスデバイスへの前記第２の無線通信経路を確立することが可能である無線送受信機と、
第１の送受信機及び第２の送受信機であって、前記第１のＬＡＮアクセスデバイスに前記第１の無線通信経路を確立することが可能であり、前記第１のＬＡＮアクセスデバイスへの前記第１の無線通信経路に同時に又は同時ではないかのいずれかで前記第２のＬＡＮアクセスデバイスへの前記第２の無線通信経路を確立することが可能である第１の送受信機及び第２の送受信機と
の少なくとも一つを含む請求項２０に記載のシステム。
【請求項２２】
前記第１のＬＡＮアクセスデバイスは、前記第１のＬＡＮ内で動作する複数のＬＡＮデバイスの少なくとも一つの共通の住宅敷地内にあり、
前記第２のＬＡＮアクセスデバイスは、第１の住宅敷地の近傍に隣接する第２の住宅敷地内にあり、前記第２のＬＡＮアクセスデバイスに関連する無線カバレッジエリアは、前記第１の住宅敷地及び前記第１のＬＡＮ内で動作する複数のＬＡＮデバイスの少なくとも一つと重複し、
前記第１のＬＡＮ内で動作する前記ＬＡＮデバイスの少なくとも一つは、前記第１のＬＡＮアクセスデバイスに関連付けられている障害イベントに応答して、前記第２のＬＡＮアクセスデバイスを通じて前記第２のＷＡＮバックホール接続に接続を確立する請求項２０に記載のシステム。
【請求項２３】
前記第１のＬＡＮ内で動作する複数のＬＡＮデバイスの少なくとも一つは、前記第１のＬＡＮアクセスデバイスに関連付けられている障害イベントに応答して、複数の前記第１のＬＡＮデバイス内の前記複数のＬＡＮデバイスの少なくとも一つの送受信機と、前記１の第ＬＡＮアクセスデバイスの外部にあり、動作的に別個の前記第２のＬＡＮアクセスデバイスの送受信機との間の無線接続を介して前記第２のＷＡＮバックホール接続への接続を確立し、
前記障害イベントは、前記第１のＬＡＮアクセスデバイス及び対応する前記第１のＷＡＮバックホール接続間の閾値に基づいて、前記第１のＬＡＮアクセスデバイス及び対応する前記第１のＷＡＮバックホール接続間の全損を特徴とするハード障害イベント、又は劣化した接続を特徴とするソフト障害イベントに対応する請求項２０に記載のシステム。
【請求項２４】
前記第１のＬＡＮ内の前記複数のＬＡＮデバイスの少なくとも一つの送受信機及び前記第２のＬＡＮアクセスデバイスの送受信機間の無線接続は、前記第２のＬＡＮアクセスデバイス上でゲストＳＳＩＤ（サービスセット識別）を使用して前記第２のＬＡＮアクセスデバイスに接続する前記複数のＬＡＮアクセスデバイスの少なくとも一つを含む請求項２３に記載のシステム。
【請求項２５】
前記第２のＬＡＮアクセスデバイス上の前記ゲストＳＳＩＤは、ゲストデバイスに前記第２のＬＡＮアクセスデバイスを通じて前記第２のＷＡＮバックホール接続と通信することを可能にし、さらに、前記第２のＬＡＮアクセスデバイス上の前記ゲストＳＳＩＤは、前記ゲストデバイスに前記第２のＷＡＮバックホール接続を最初に通過することなく前記第２のＬＡＮ内で動作するいずれのデバイスとも通信を制限する請求項２４に記載のシステム。
【請求項２６】
前記トラフィック集約部は、前記第１のＬＡＮ内で動作する複数のＬＡＮデバイスの内の一つの内に統合されたサブコンポーネントとして動作し、
前記トラフィック集約部は、前記第１のＬＡＮアクセスデバイスへの通信経路を介して前記第１のＷＡＮバックホール接続にインターフェースされ、前記第１のＬＡＮアクセスデバイスは、前記第１のＷＡＮバックホール接続への通信経路を介して同じくインターフェースされ、
前記トラフィック集約部は、前記第１のＬＡＮ内で動作する前記複数のＬＡＮデバイスの一つの内のサブコンポーネントとして統合され、前記第２のＬＡＮアクセスデバイスに通信可能にインターフェースされ、
前記トラフィック集約部は、前記第２のＷＡＮバックホール接続と直接通信して動作する前記第２のＬＡＮアクセスデバイスを通じた前記第２のＷＡＮバックホール接続への間接通信リンクを含む請求項１に記載のシステム。
【請求項２７】
前記トラフィック集約部は、前記複数のＬＡＮデバイスの一つから前記第１のＬＡＮアクセスデバイスへの無線通信経路を通じて前記第１のＬＡＮアクセスデバイスと通信し、さらに、前記トラフィック集約部は、前記複数のＬＡＮデバイスの一つから前記第２のＬＡＮアクセスデバイスへの第２の無線通信経路を通じて前記第２のＬＡＮアクセスデバイスと通信する請求項２６に記載のシステム。
【請求項２８】
前記複数のＬＡＮデバイスの一つから前記第１及び第２のＬＡＮアクセスデバイスへの第１及び第２の無線通信経路はそれぞれ、
前記第１及び第２の無線通信経路の間をそれぞれ多重化することにより前記第１のＬＡＮアクセスデバイスへの前記第１の無線通信経路及び前記第２のＬＡＮアクセスデバイスへの前記第２の無線通信経路を同時に維持する多重無線送受信機を介した無線接続と、
前記第１の無線通信経路を終了し、前記第２の無線通信経路に切り替えることにより前記第１のＬＡＮアクセスデバイスへの前記第１の無線通信経路を確立することが可能であり、前記第２のＬＡＮアクセスデバイスへの前記第２の無線通信経路を確立することが可能である無線送受信機を介した無線接続と、
第１の無線送受信機及び第２の無線送受信機は、前記第１のＬＡＮアクセスデバイスへの前記第１の無線通信経路を確立することが可能であり、前記第１のＬＡＮアクセスデバイスへの第１の無線通信経路と同時に又は同時ではないかのいずれかで前記第２のＬＡＮアクセスデバイスへの前記第２の無線通信経路を確立することが可能である前記第１及び第２の無線送受信機を介した無線接続と
の少なくとも一つを含む請求項２７に記載のシステム。
【請求項２９】
前記第１のＷＡＮバックホール接続及び前記第２のＷＡＮバックホール接続の間に通信可能にインターフェースされたトラフィック集約解除器をさらに含み、
前記第１のＷＡＮバックホール及び前記第２のＷＡＮバックホール上に論理的に結合したＷＡＮインターフェースを形成する前記トラフィック集約部は、前記第１のＬＡＮ及び前記第２のＬＡＮの両方に由来するトラフィックに関連付けられているインターネットプロトコル（ＩＰ）アドレスを結合する前記トラフィック集約部を含み、前記トラフィック集約解除器を通じて前記結合したＩＰアドレスを有する前記トラフィックをさらにルーティングする請求項２６に記載のシステム。
【請求項３０】
前記トラフィック集約解除器は、前記第１及び第２のＷＡＮバックホール接続を介して複数の加入者にデータ接続、音声接続、ビデオ接続、及びモバイルデバイスの接続の一つ以上を提供するサービスプロバイダによって管理され、
前記トラフィック集約解除器は、前記第１のＬＡＮアクセスデバイス、前記第２のＬＡＮアクセスデバイス、前記第３のＬＡＮアクセスデバイス、及び前記トラフィック集約部の各々から物理的に分離して別個に動作する請求項２９に記載のシステム。
【請求項３１】
前記第１のＷＡＮバックホール接続及び前記第２のＷＡＮバックホール接続の各々は、
ブロードバンド接続と、
デジタル加入者線（ＤＳＬ）接続と、
ケーブル接続と、
フェムトセル接続と、
モバイル接続と、
ファイバ接続と、
無線接続と、
アクセスブロードバンドオーバーパワーライン（ＢＰＬ）接続と
を含むＷＡＮバックホール接続のグループから選択される請求項１に記載のシステム。
【請求項３２】
前記第１及び第２のＬＡＮの各々は、少なくともユーザデバイスを含み、
前記第１及び第２のＬＡＮアクセスデバイスの各々は、それぞれのユーザデバイスの各々に前記第１のＷＡＮバックホール接続又は前記第２のＷＡＮバックホール接続の一つを通信可能にリンクする請求項１に記載のシステム。
【請求項３３】
前記第１のＬＡＮ及び前記第２のＬＡＮの各々は、複数の相互接続されたノードを含み、
複数の相互接続されたノードの各々は、
イーサネットベースのネットワーク接続と、
無線ベースのネットワーク接続と、
米国電気電子技術者協会（ＩＥＥＥ）８０２．１１規格ベースのネットワーク接続と、
８０２．１１ａ、８０２．１１ｂ、８０２．１１ｇ、及び／又は８０２．１１ｎ無線互換のネットワーク接続と、
第３世代（３Ｇ）互換プロトコル、第４世代（４Ｇ）互換プロトコル、及びロングタームエボリューション（ＬＴＥ）互換プロトコルとの少なくとも一つを含む移動セルラー互換プロトコルを介して送信するフェムトネットワーク接続と、
電力線接続と、
電話システム接続と、
一般電話サービス（ＰＯＴＳ）接続と、
Ｇ．ｈｎ（ＩＴＵ−Ｔ規格の統一高速有線ベースのホームネットワーク）接続と、
同軸ケーブルの接続と
の少なくとも１つを介して通信する請求項１に記載のシステム。
【請求項３４】
前記第１のＬＡＮアクセスデバイス及び前記第２のＬＡＮアクセスデバイスの各々は、
基地局と、
アクセスポイントと、
モデムと、
ルータと、
ゲートウェイと、
デジタル加入者線（ＤＳＬ）顧客宅内機器（ＣＰＥ）モデムと、
家庭内の電力線デバイスと、
ホーム電話回線ネットワークアライアンス（ＨＰＮＡ）ベースのデバイスと、
家庭内同軸分配デバイスと、
Ｇ．ｈｎ互換性のあるデバイスと、
宅内計量通信デバイスと、
ＬＡＮに通信可能にインターフェースする家庭電化製品と、
無線フェムトセル基地局と、
無線対応基地局と、
無線移動機リピータと、
無線移動機基地局と、
セットトップボックス（ＳＴＢ）／セットトップユニット（ＳＴＵ）顧客用電子機器と、
インターネットプロトコル（ＩＰ）が有効なテレビジョンと、
ＩＰ対応メディアプレーヤーと、
ＩＰ対応ゲームコンソールと、
イーサネットゲートウェイと、
ＬＡＮに接続された計算デバイスと、
ホームプラグデバイスと、
電力線（ＢＰＬ）デバイス上のＩＥＥＥ  Ｐ１９０１規格互換のアクセスブロードバンドと、
イーサネット接続されたコンピュータ周辺機器と、
イーサネット接続されたルータと、
イーサネット接続された無線ブリッジと、
イーサネット接続されたネットワークブリッジと、
イーサネット接続されたネットワークスイッチと
を含むアクセスデバイスグループから選択される請求項１に記載のシステム。
【請求項３５】
前記第１のＬＡＮアクセスデバイス及び前記第２のＬＡＮアクセスデバイス間に通信可能にインターフェースする第３のＬＡＮアクセスデバイスをさらに含み、
前記トラフィック集約部は、第３のＬＡＮアクセスデバイスの統合されたサブコンポーネントとして動作し、前記第３のＬＡＮアクセスデバイスは前記第１のＬＡＮアクセスデバイス及び前記第２のＬＡＮアクセスデバイスの各々から物理的に分離して別個に動作する請求項１に記載のシステム。
【請求項３６】
前記トラフィック集約部は、
前記第２のＬＡＮアクセスデバイスと通信可能にインターフェースするデバイスを介した第１の接続と、
前記トラフィック集約部を前記第１のＷＡＮバックホール接続に通信可能にインターフェースする第２の接続と、
前記第１の接続からのトラフィック及び前記第２の接続からのトラフィックを集約されたトラフィックに結合するデータ集約部と
を含む請求項１に記載のシステム。
【請求項３７】
前記第１のＷＡＮバックホール接続に通信可能にインターフェースし、前記第２のＷＡＮバックホール接続に通信可能にインターフェースするデータ集約解除部であって、集約解除トラフィックとして前記第１の接続上へ及び前記第２の接続上へのトラフィックを集約解除する前記データ集約解除部を含む請求項３６に記載のシステム。
【請求項３８】
第１のアクセスデバイスを介して第１のローカルエリアネットワーク（ＬＡＮ）を確立し、
第２のアクセスデバイスを介して第２のＬＡＮを確立し、前記第２のＬＡＮは前記第１のＬＡＮから動作が別個であり、
第１のワイドエリアネットワーク（ＷＡＮ）バックホール接続を介して前記第１のＬＡＮアクセスデバイスにＷＡＮ接続を提供し、
第２のＷＡＮバックホール接続を介して前記第２のＬＡＮアクセスデバイスにＷＡＮ接続を提供し、前記第１のＷＡＮバックホール及び前記第２のＷＡＮバックホールの各々は物理的に別個であり、
前記第１のＷＡＮバックホール及び前記第２のＷＡＮバックホール上に論理的に結合したＷＡＮインターフェースを形成すること
を含む方法。
【請求項３９】
前記論理的に結合したＷＡＮインターフェースは、前記第１のＬＡＮアクセスデバイス及び前記第２のＬＡＮアクセスデバイスに前記第１のＷＡＮバックホール接続を介してアクセス可能な第１の帯域幅及び前記第２のＷＡＮバックホール接続を介してアクセス可能な第２の帯域幅の組み合わせを介してＷＡＮ接続を提供し、
前記論理的に結合したＷＡＮインターフェースは、前記第１のＬＡＮアクセスデバイスにそれぞれのＷＡＮ接続を提供する前記第１のバックホール接続に取って代わり、前記第２のＬＡＮアクセスデバイスにそれぞれのＷＡＮ接続を提供する前記第２のＷＡＮのバックホール接続に取って代わる請求項３８に記載の方法。
【請求項４０】
ａ）前記第１のＬＡＮに由来する第１の複数のトラフィックパケットは、前記トラフィック集約部を通じて前記第１のＷＡＮバックホールを介して前記論理的に結合したＷＡＮインターフェースを通過し、
ｂ）前記第１のＬＡＮに由来する第２の複数のトラフィックパケットは、前記トラフィック集約部を通じて前記第２のＷＡＮバックホールを介して前記論理的に結合したＷＡＮインターフェースを通過し、
ｃ）前記第２のＬＡＮに由来する第３の複数のトラフィックパケットは、前記トラフィック集約部を通じて前記第１のＷＡＮバックホールを介して前記論理的に結合したＷＡＮインターフェースを通過し、
ｄ）前記第２のＬＡＮに由来する第４の複数のトラフィックパケットは、前記トラフィック集約部を通じて前記第２のＷＡＮバックホールを介して前記論理的に結合したＷＡＮインターフェースを通過する請求項３８に記載の方法。
【請求項４１】
前記第１のＷＡＮバックホール接続は、前記第１のＬＡＮの第１の転送速度を含み、
前記第２のＷＡＮバックホール接続は、前記第２のＬＡＮの第２の転送速度を含み、
前記論理的に結合したＷＡＮインターフェースは、前記第１の転速速度よりも大きく、前記第２の転送速度よりも大きい、前記第１のＬＡＮ及び前記第２のＬＡＮの集約転送速度を含む請求項３８に記載の方法。
【請求項４２】
前記トラフィック集約部は、前記第１のＬＡＮアクセスデバイス及び前記第２のＬＡＮアクセスデバイスの各々から物理的に分離して別個に動作し、
前記トラフィック集約部は、前記第１のＬＡＮアクセスデバイス及び前記第１のＷＡＮバックホール接続間に通信可能にインターフェースされ、前記トラフィック集約部は、前記第１のＬＡＮアクセスデバイス及び前記第１のＷＡＮバックホール接続の各々への直接通信リンクを有し、
前記トラフィック集約部は、前記第２のＬＡＮアクセスデバイスに通信可能にインターフェースし、前記トラフィック集約部は、前記第２のＷＡＮバックホール接続と直接通信して動作する前記第２のＬＡＮアクセスデバイスを通じた前記第２のＷＡＮバックホール接続への間接通信リンクを含む請求項３８に記載の方法。
【請求項４３】
前記トラフィック集約部及び前記第２のＬＡＮアクセスデバイス間に第３のＬＡＮアクセスデバイスを通信可能にインターフェースし、
前記第３のＬＡＮアクセスデバイスから前記トラフィック集約部及び前記第２のＬＡＮアクセスデバイスの各々に直接通信リンクを確立し、
前記トラフィック集約部は、前記第３のＬＡＮアクセスデバイスを通じて前記第２のＬＡＮアクセスデバイスに間接通信リンクを確立することにより前記第２のＬＡＮアクセスデバイスに通信可能にインターフェースし、前記第３のＬＡＮアクセスデバイスは、前記第１のＬＡＮアクセスデバイス又は前記第２のＬＡＮアクセスデバイスの一つにおける障害イベントに応答して前記第１のＷＡＮバックホール及び前記第２のＷＡＮバックホール上の前記論理的に結合したＷＡＮインターフェースに代替バックアップ通信経路を提供する、請求項３８に記載の方法。
【請求項４４】
前記第１のＷＡＮバックホール接続及び前記第２のＷＡＮバックホール接続間にトラフィック集約解除器を通信可能にインターフェースすることをさらに含み、
前記第１のＷＡＮバックホール及び前記第２のＷＡＮバックホール上で論理的に結合したＷＡＮインターフェースを形成することは、トラフィック集約部であって、
（ａ）前記第１のＬＡＮ及び前記第２のＬＡＮの両方に由来するトラフィックに関連付けられているインターネットプロトコル（ＩＰ）アドレスを結合し、
（ｂ）前記トラフィック集約解除器を通じて前記結合したＩＰアドレスを有するトラフィックをルーティングするものを含む請求項３８に記載の方法。
【請求項４５】
前記トラフィック集約解除器は、前記第１及び第２のＷＡＮバックホール接続を介して複数の加入者にデータ接続、音声接続、ビデオ接続、及びモバイルデバイスの接続の一つ以上を提供するサービスプロバイダによって管理され、
前記トラフィック集約解除器は、前記第１のＬＡＮアクセスデバイス、前記第２のＬＡＮアクセスデバイス、前記第３のＬＡＮアクセスデバイス、及びトラフィック集約部の各々から物理的に分離して別個に動作する請求項４４に記載の方法。
【請求項４６】
前記第１のＬＡＮ内で動作する複数のＬＡＮデバイスの内の少なくとも一つは、前記第１のＬＡＮアクセスデバイスを通じた前記第１のＷＡＮバックホール接続への第１の通信経路を含み、前記第２のＬＡＮアクセスデバイスを通じた前記第２のＷＡＮバックホール接続への第２の通信経路を含む請求項３８に記載の方法。
【請求項４７】
少なくとも一つのＬＡＮデバイスは、
前記第１のＬＡＮアクセスデバイスへの第１の無線通信経路及び前記第２のＬＡＮアクセスデバイスへの第２の無線通信経路間をそれぞれ多重化することにより、前記第１及び第２の無線通信経路を同時に維持することが可能である多重無線送受信機と、
前記第１の無線通信経路を終了し、前記第２の無線通信経路に切り替えることにより、前記第１のＬＡＮアクセスデバイスへの前記第１の無線通信経路を確立することが可能であり、前記第２のＬＡＮアクセスデバイスへの前記第２の無線通信経路を確立することが可能である無線送受信機と、
第１の無線送受信機及び第２の無線送受信機であって、前記第１のＬＡＮアクセスデバイスに前記第１の無線通信経路を確立することが可能であり、前記第１のＬＡＮアクセスデバイスへの前記第１の無線通信経路と同時に又は同時ではないかのいずれかで前記第２のＬＡＮアクセスデバイスへの前記第２の無線通信経路を確立することが可能である前記第１及び第２の無線送受信機と
の少なくとも一つを含む請求項４６に記載の方法。
【請求項４８】
前記第１のＬＡＮアクセスデバイスに関連付けられている障害イベントに応答して、複数の前記第１のＬＡＮデバイス内の複数のＬＡＮデバイスの少なくとも一つの送受信機及び前記第１のＬＡＮアクセスデバイスの外部にあり動作上別個の前記第２のＬＡＮアクセスデバイスの送受信機間の無線接続を介して前記第２のＷＡＮバックホール接続に前記第１のＬＡＮ内で動作する複数のＬＡＮデバイスの少なくとも一つから接続を確立し、
前記障害イベントは、前記第１のＬＡＮアクセスデバイス及び対応する前記第１のＷＡＮバックホール接続間の閾値に基づいて、前記第１のＬＡＮアクセスデバイス及び対応する前記第１のＷＡＮバックホール接続間の全損を特徴とするハード障害イベント、又は劣化した接続を特徴とするソフト障害イベントに対応する請求項３８に記載の方法。
【請求項４９】
前記第２のＬＡＮアクセスデバイス上のゲストＳＳＩＤは、前記第１のＬＡＮ内で動作する複数のＬＡＮデバイスの少なくとも一つが前記第２のＬＡＮアクセスデバイスを通じてゲストデバイス接続として前記第２のＷＡＮバックホールと通信することを可能にし、さらに、前記第２のＬＡＮアクセスデバイス上のゲストＳＳＩＤは、前記ゲストデバイスを、最初に前記第２のＷＡＮバックホール接続を通過することなく前記第２のＬＡＮ内で動作するいずれのデバイスとも通信することから制限する請求項３８記載の方法。
【請求項５０】
前記トラフィック集約部は、前記第１のＬＡＮ内で動作する複数のＬＡＮデバイスの内の一つに統合されたサブコンポーネントとして動作し、
前記トラフィック集約部は、前記第１のＷＡＮバックホール接続への通信経路を介して同じくインターフェースされる前記第１のＬＡＮアクセスデバイスへの通信経路を介して前記第１のＷＡＮバックホール接続にインターフェースされ、
前記トラフィック集約部は、前記第１のＬＡＮ内で動作する前記複数のＬＡＮデバイスの一つの内の前記サブコンポーネントとして統合され、前記第２のＬＡＮアクセスデバイスに通信可能にインターフェースされ、
前記トラフィック集約部は、前記第２のＷＡＮバックホール接続と直接通信して動作する前記第２のＬＡＮアクセスデバイスを通じた前記第２のＷＡＮバックホール接続への間接通信リンクを含む請求項３８に記載の方法。
【請求項５１】
トラフィック集約部は、
前記第２のＬＡＮアクセスデバイスと通信可能にインターフェースするデバイスを介した第１の接続と、
前記トラフィック集約部を前記第１のＷＡＮバックホール接続に通信可能にインターフェースする第２の接続と
を含み、
前記方法は、前記第１の接続からのトラフィック及び前記第２の接続からのトラフィックをデータ集約器を介して集約されたトラフィックに結合することをさらに含む請求項３８に記載の方法。
【請求項５２】
前記第１のＷＡＮバックホール接続にデータ集約解除器を通信可能にインターフェースし、
前記第２のＷＡＮバックホール接続にデータ集約解除器を通信可能にインターフェースし、
前記第１の接続上及び前記第２の接続上へのトラフィックを集約解除されたトラフィックとして集約解除すること
をさらに含む請求項５１に記載の方法。
【請求項５３】
前記第１のＬＡＮアクセスデバイス及び前記第２のＬＡＮアクセスデバイス間に第３のＬＡＮアクセスデバイスを通信可能にインターフェースすることをさらに含み、
前記トラフィック集約部は、第３のＬＡＮアクセスデバイスの統合されたサブコンポーネントとして動作し、前記第３のＬＡＮアクセスデバイスは、前記第１のＬＡＮアクセスデバイス及び前記第２のＬＡＮアクセスデバイスの各々から物理的に分離して別個に動作する請求項３８に記載の方法。
【請求項５４】
第１のＬＡＮを確立する第１のローカルエリアネットワーク（ＬＡＮ）アクセスデバイスへの第１のインターフェースと、
前記第１のＬＡＮとは動作上別個の第２のＬＡＮを確立する第２のＬＡＮアクセスデバイスへの第２のインターフェースと、
前記第１のＬＡＮアクセスデバイスにＷＡＮ接続を提供する第１のワイドエリアネットワーク（ＷＡＮ）バックホール接続への第３のインターフェースと、
前記第２のＬＡＮアクセスデバイスにＷＡＮ接続を提供する第２のＷＡＮバックホール接続への第４のインターフェースであって、前記第１のＷＡＮバックホール及び前記第２のＷＡＮバックホールの各々は、物理的に別個であるものと、
前記第１のＷＡＮバックホール及び前記第２のＷＡＮバックホール上に論理的に結合したＷＡＮインターフェースを形成するバックホール結合部と
を含むトラフィック集約部。
【請求項５５】
第１のＬＡＮを確立する第１のローカルエリアネットワーク（ＬＡＮ）アクセスデバイスへの第１のインターフェースと、
前記第１のＬＡＮとは動作上別個の第２のＬＡＮを確立する第２のＬＡＮアクセスデバイスへの第２のインターフェースと、
前記第１のＬＡＮアクセスデバイスにＷＡＮ接続を提供する第１のワイドエリアネットワーク（ＷＡＮ）バックホール接続への第３のインターフェースと、
前記第２のＬＡＮアクセスデバイスもＷＡＮ接続を提供する第２のＷＡＮバックホール接続への第４のインターフェースであって、前記第１のＷＡＮバックホール及び前記第２のＷＡＮバックホールの各々は物理的に別個であるものと、
パケットを受信し、前記パケットを、前記第１のＷＡＮバックホール及び前記第２のＷＡＮバックホール上に形成された論理的に結合されたＷＡＮインターフェース上のトラフィック集約部に転送するデータ集約解除部と、を含むトラフィック集約解除器。
【発明の詳細な説明】
【技術分野】
【０００１】
著作権の表示
この特許文書の開示の一部は著作権保護の対象となる材料を含む。著作権者は、米国特許商標庁の特許ファイル又は記録に現れる特許文献又は特許公開のいずれの複写にも異議がないが、その他のすべての著作権は留保する。
技術分野
【０００２】
本明細書に記載の主題は、コンピューティングの分野に関し、特に、システム及び複数のＷＡＮバックホール及び複数の別個のＬＡＮネットワーク上のトラフィック集約のための方法；システム及び複数のＷＡＮバックホールと複数の別個のＬＡＮネットワーク上のトラフィックのロードバランシングのための方法；システム及び複数の別個のＬＡＮネットワークにサービスを提供する複数のＷＡＮバックホールを利用して自己修復動作を実行するための方法に関する。
【背景技術】
【０００３】
背景技術の節で説明した主題は、単に背景技術の節において言及した結果として、従来技術であると想定すべきではない。同様に、背景技術の項で述べた、又は背景の節の主題に関連する問題は、従来技術において認識されているものと想定されるべきではない。背景の節の主題は、単に異なるアプローチを表し、それ自体で請求される主題の実施形態に対応してもよい。
【０００４】
「インターネット」は他の多くのネットワークを一緒に結合したワイドエリアネットワークであり、別個の、多くの場合、地理的に分散したネットワーク内で動作するデバイス間の通信経路を提供する。ローカルエリアネットワーク（ＬＡＮ）は、エンドユーザの敷地内で複数の別個のデバイスがそれらの間でローカルに通信することを可能にする。家庭内ＬＡＮ技術は、有線イーサネット（登録商標）、ＷｉＦｉ、無線ＬＡＮ、電源ライン、同軸、電話線や他の伝送システムを含んでいる。エンドユーザのＬＡＮは、多くの場合、エンドユーザ消費者にインターネット接続及びインターネット帯域幅を提供するインターネットサービスプロバイダ（ＩＳＰ）へのＷＡＮバックホール接続を介してインターネットに接続されている。ＷＡＮバックホール技術は、ＤＳＬ、ケーブルモデム、ファイバ、無線を含んでいる。エンドユーザのＬＡＮ内のデバイスは、エンドユーザのＩＳＰによって提供されるＷＡＮバックホール接続を介してＬＡＮの外部のデバイスと通信することができる。
【０００５】
伝統的に、ＷＡＮは、インターネットサービスプロバイダ、通信事業者などのサービスプロバイダによって、制御され、管理され、維持されている。逆に、ＬＡＮは、一般的に、顧客の敷地において、住民のユーザや商業／ビジネス顧客であるエンドユーザ／顧客によって管理され、維持されている。また、事業者やサービスプロバイダは、ＬＡＮ経由で現れるいくつかの問題や課題が時にはＷＡＮの構成及び設定に関連しているという事実にかかわらず、一般にＬＡＮ関連の問題に対処を控えている。ＬＡＮからＷＡＮへのインターフェースの管理を強化する機会は、ＬＡＮやＬＡＮデバイス、及びエンドツーエンドサービスの提供に利益をもたらすことがある。しかしながら、そのような強化された管理の機会は、関連する一般消費者が利用できるようには依然としてされておらず、関連するサービスプロバイダによっては依然として本格的に検討されていない。
【０００６】
したがって、現在の技術水準は、複数のＷＡＮバックホール及び複数の別個のＬＡＮネットワーク上のトラフィック集約のためのシステム及び方法；システムや複数のＷＡＮバックホール及び複数の別個のＬＡＮネットワーク上のトラフィックのロードバランシングのための方法；複数の別個のＬＡＮネットワークのために働く複数のＷＡＮバックホールを利用して自己修復動作を実行するためのシステム及び方法から利益を得ることができ、これらの各々は、本明細書に記載されている。
【図面の簡単な説明】
【０００７】
実施形態は、例として、限定的ではなく説明されるものであり、図に関連して考慮されるとき、以下の詳細な説明を参照することで、より完全に理解することができる。
【０００８】
【図１】図１は、実施形態が動作する例示的なアーキテクチャを示している。
【０００９】
【図２Ａ】図２Ａは、実施形態が動作することができる別の例示的なアーキテクチャを示している。
【図２Ｂ】図２Ｂは、実施形態が動作することができる別の例示的なアーキテクチャを示している。
【図２Ｃ】図２Ｃは、実施形態が動作することができる別の例示的なアーキテクチャを示している。
【図２Ｄ】図２Ｄは、実施形態が動作することができる別の例示的なアーキテクチャを示している。
【図２Ｅ】図２Ｅは、実施形態が動作することができる別の例示的なアーキテクチャを示している。
【図２Ｆ】図２Ｆは、実施形態が動作することができる別の例示的なアーキテクチャを示している。
【図２Ｇ】図２Ｇは、実施形態が動作することができる別の例示的なアーキテクチャを示している。
【図２Ｈ】図２Ｈは、実施形態が動作することができる別の例示的なアーキテクチャを示している。
【００１０】
【図３Ａ】図３Ａは実施形態が動作することができる別の例示的なアーキテクチャを示している。
【図３Ｂ】図３Ｂは実施形態が動作することができる別の例示的なアーキテクチャを示している。
【図３Ｃ】図３Ｃは実施形態が動作することができる別の例示的なアーキテクチャを示している。
【図３Ｄ】図３Ｄは実施形態が動作することができる別の例示的なアーキテクチャを示している。
【図３Ｅ】図３Ｅは実施形態が動作することができる別の例示的なアーキテクチャを示している。
【００１１】
【図４Ａ】図４Ａは、実施形態が動作することができる別の例示的なアーキテクチャを示している。
【図４Ｂ】図４Ｂは、実施形態が動作することができる別の例示的なアーキテクチャを示している。
【図４Ｃ】図４Ｃは、実施形態が動作することができる別の例示的なアーキテクチャを示している。
【図４Ｄ】図４Ｄは、実施形態が動作することができる別の例示的なアーキテクチャを示している。
【図４Ｅ】図４Ｅは、実施形態が動作することができる別の例示的なアーキテクチャを示している。
【図４Ｆ】図４Ｆは、実施形態が動作することができる別の例示的なアーキテクチャを示している。
【図４Ｇ】図４Ｇは、実施形態が動作することができる別の例示的なアーキテクチャを示している。
【００１２】
【図５Ａ】図５Ａは、実施形態が動作し、設置され、統合され、又は構成されることができる図式表現を示している。
【図５Ｂ】図５Ｂは、実施形態が動作し、設置され、統合され、又は構成されることができる図式表現を示している。
【００１３】
【図６Ａ】図６Ａは、実施形態に従ったトラフィック集約のための方法を示すフロー図である。
【図６Ｂ】図６Ｂは、実施形態に従ったトラフィックのロードバランシングのための方法を示すフロー図である。
【図６Ｃ】図６Ｃは、実施形態に従った自己修復を行うための方法を示すフロー図である。
【００１４】
【図７】図７は、一実施形態による、コンピュータシステムの例示的な形態のマシンの図式を示す。
【発明を実施するための形態】
【００１５】
本明細書には、複数のＷＡＮバックホール及び複数の別個のＬＡＮネットワーク上のトラフィック集約のためのシステム及び方法；複数のＷＡＮバックホール及び複数の別個のＬＡＮネットワーク上のトラフィックのロードバランシングのためのシステム及び方法；複数の別個のＬＡＮネットワークのために働く複数のＷＡＮバックホールを利用して自己修復動作を実行するためのシステム及び方法が記載されている。
【００１６】
データトラフィックの需要はバースト的であり、トラフィックは頻繁に大きく変化する。ビデオなどのストリーミングサービスへの需要も、テレビのスイッチを入れたり切ったりするように、セッションが行き交うときに極めて大きく変化することがある。また、帯域幅の供給は、異なるビットレートを提供する無線のような異なるＬＡＮ接続、及び同じく異なるビットレートを提供するようなブロードバンドアクセスバックホールのような異なるＷＡＮ接続について、大幅に変化することがある。一つの回線の負荷が大きいときに、隣接する回線の負荷が軽いことがしばしばある。トラフィック集約は、単一の論理的に作成された接続に複数のユーザをまとめてプールすることにより、需要と供給を統計的に滑らかにするという利益を有している。
【００１７】
ＬＡＮ／ＷＡＮを結合するソリューションは、これまで特定の予め決められた実装に限定されていた。本明細書に開示されるトラフィック集約メカニズムが本来はより動的であり、異なるＷＡＮバックホール及びＬＡＮネットワークにわたり適応的なやり方でトラフィックを組み合わせることを可能にする。トラフィック集約は、とりわけ、パケットの並び替え、パケットタイプ（制御又はデータ）による分類などのような技術を含むことがある。トラフィックは、異なるサブネット内のデバイス間で集約することもでき、ネットワークは異なるサービスプロバイダによってサービスされている。特定のトラフィック集約メカニズムは、リソースがフローの全セットに割り当てられるように、トラフィックフローに基づいて受信トラフィックを区別しない。すべての受信トラフィックを同じように扱わないトラフィック集約の仕組みもあり、各フローは独自の専用リソースを割り当てられることが可能である。任意のトラフィック処理方式は、リンク容量の点で異なる要件を提示し、また、ネットワークに提供されるトラフィック負荷の変化に対する自身の感度を有する。トラフィック集約方式の性能とリンクステータス（容量、提供された負荷、フロー特性など）との間のこの相互依存性は、集約が、単一の接続を介してトラフィックを集約することによって、又は異なる接続を介して別個のトラフィックソース及びシンクを物理的又は論理的に切り替えたり、ルーティングしたりすることで行われているかどうかに関係なく存在し、いずれの場合も、手元の特定のシナリオに設定を適応させることが必要である。したがって、トラフィックの集約は、より適応的であり、結合がより静的である傾向がある手元の状況に合うように適合されてもよい。
【００１８】
例えば、一実施形態では、第１のローカルエリアネットワーク（ＬＡＮ）アクセスデバイスは、第１のＬＡＮを確立し；第２のＬＡＮアクセスデバイスは、第２のＬＡＮを確立し；第１のワイドエリアネットワーク（ＷＡＮ）バックホール接続は、ＷＡＮ接続を備えた第１のＬＡＮアクセスデバイスを提供し；第２のＷＡＮバックホール接続は、ＷＡＮ接続を有する第２のＬＡＮアクセスデバイスを提供し；及びトラフィック集約部は、第１のＷＡＮバックホール及び第２のＷＡＮバックホール上で論理的に結合したＷＡＮインターフェースを形成する。いくつかの実施形態では、オプションのトラフィック集約解除部が使用されてもよい。
【００１９】
別の実施形態では、第１のローカルエリアネットワーク（ＬＡＮ）アクセスデバイスは、第１のＬＡＮを確立し；第２のＬＡＮアクセスデバイスは、第２のＬＡＮを確立し；第１のワイドエリアネットワーク（ＷＡＮ）バックホール接続は、第１のＬＡＮアクセスデバイスにＷＡＮ接続を提供し；第２のＷＡＮバックホール接続は、第２のＬＡＮアクセスデバイスにＷＡＮ接続を提供し；管理デバイスは、第１のＬＡＮアクセスデバイス、第２のＬＡＮアクセスデバイス、第１のＷＡＮバックホール接続、及び第２のＷＡＮバックホール接続の各々と通信可能にインターフェースされ；管理デバイスは、第１のＬＡＮからのトラフィックの第１の部分を第１のＷＡＮバックホール接続にルーティングし、第２のＬＡＮからのトラフィックの第２の部分を２のＷＡＮバックホール接続にルーティングする。
【００２０】
別の実施形態では、第１のローカルエリアネットワーク（ＬＡＮ）アクセスデバイスは、第１のＬＡＮを確立し；第２のＬＡＮアクセスデバイスは、第２のＬＡＮを確立し；第１のワイドエリアネットワーク（ＷＡＮ）バックホール接続は、第１のＬＡＮアクセスデバイスにＷＡＮ接続を提供し；第２のＷＡＮバックホール接続は、第２のＬＡＮアクセスデバイスにＷＡＮ接続を提供し；管理デバイスは、第１のＬＡＮアクセスデバイス、第２のＬＡＮアクセスデバイス、第１のＷＡＮバックホール接続、及び第２のＷＡＮバックホール接続の各々と通信可能にインターフェースされ；管理デバイスは、障害イベントに応答して、第１のＬＡＮに関連するトラフィックを第１のＷＡＮバックホール接続に再ルーティングし、又は第２のＬＡＮに関連するトラフィックを第２のＷＡＮバックホール接続に再ルーティングする。
【００２１】
本明細書に記載の実施形態によれば、消費者の住宅とビジネスコンシューマを含むエンドユーザの消費者は、インターネットサービスプロバイダ（ＩＳＰ）などのワイドエリアネットワーク（ＷＡＮ）バックホール接続を介してサービスプロバイダ（ＳＰ）に接続するインターネット、又は複数の加入者へのデータ接続、音声接続、ビデオ接続、及びモバイルデバイスの接続の一つ以上を提供するサービスプロバイダに接続することができる。このようなサービスプロバイダは、アナログ電話サービス（例えば、旧来の電話サービス（ＰＯＴＳ））を伝送するために従来利用されたような銅ツイストペア電話回線上で少なくとも部分的にインターネットの帯域幅を加入エンドユーザに提供するデジタル加入者回線（ＤＳＬ）；「ケーブル」テレビジョン信号の伝送に従来使用されたような同軸ケーブル上で少なくとも部分的にインターネットの帯域幅をエンドユーザに提供する同軸ケーブルインターネットサービスプロバイダ；又は顧客の敷地で終端する光ファイバケーブル上でインターネット帯域幅をエンドユーザに提供する光ファイバのインターネットサービスプロバイダを含んでもよい。アナログ電話ベースの接続を介するアナログ信号としてインターネット帯域幅を提供するＩＳＰ、一方向又は双方向の衛星接続を介してインターネット帯域幅を提供するＩＳＰ、及び、エンドユーザの構内に商用電源（例えば、電気）を伝送するために従来利用された電力線のような、電力線を介して少なくとも部分的にインターネットの帯域幅を提供するＩＳＰ、又は、ホットスポットでの（例えば、ＷｉＦｉ）接続のような無線チャネル、又はＷｉＭａｘ、３Ｇ／４Ｇ、ＬＴＥなどの技術や標準を介するモバイルデータ接続を介して少なくとも部分的にインターネット帯域幅を提供するＩＳＰのような他の変形例も同様に存在する。
【００２２】
エンドユーザの構内に、ＩＳＰへのＷＡＮバックホール接続を介して提供されるインターネットの帯域幅と他の互換性のあるサービスは、ＬＡＮデバイスを介して確立されるローカルエリアネットワーク（ＬＡＮ）を介して、エンドユーザの敷地内の複数のデバイス間に一般的に分散されている。ＷＡＮバックホールを経由して提供されるインターネットの帯域幅及びその他のサービスの分布は、家庭外の領域のような、エンドユーザの構内の周囲、インターネット帯域幅にエンドユーザのＬＡＮを無線で経由してアクセスすることができるビジネスの外やまわりの空間や地域にさらに拡張することができる。エンドユーザの構内に、ネットワークトラフィックは、例えば、同軸線，電力線、ツイストペア電話線、イーサネット（登録商標）／カテゴリ５型の線の変化例、及びライセンスされた及びライセンスされていないスペクトル及び様々なプロトコルを用いた無線信号の様々なタイプのような、有線接続又は無線接続を介してＬＡＮ内に分散させることができる。一実施形態によれば、インターネット帯域幅及びＷＡＮバックホールにより提供される他のサービスへのアクセスを確保することができる。
【００２３】
エンドユーザの構内に関連したいくつかのネットワークトラフィックはＬＡＮにローカルのまま留まるが、ＬＡＮへの外部の場所宛ての他のトラフィックは、ＷＡＮインターフェースに、及びＷＡＮバックホールを経由してインターネットに向け、ＬＡＮを通過する。
【００２４】
ＷＡＮ及びＬＡＮのネットワークとのインターフェースを通過するネットワークトラフィックのほかに、様々なタイプの情報は、別個のＷＡＮ及びＬＡＮのネットワークのそれぞれから入手可能、検索可能、又は観察可能である。本明細書に記載された管理デバイスは、ＷＡＮとＬＡＮのネットワークからそれぞれのＷＡＮとＬＡＮインターフェースを介してこのようなネットワークへ収集した情報を収集し、複数の別個のＬＡＮネットワークのために働く複数のＷＡＮバックホールを利用し、自己修復の動作を実行するような、さまざまな機能強化を実行するか、又は可能にし；及び、複数の別個のＬＡＮネットワークのために働く複数のＷＡＮバックホールを利用したトラフィックがバランスをとれるように負荷を与えてもよい。管理デバイスは、複数の基礎となる物理又は無線ＷＡＮバックホール上の論理的なＷＡＮのバックホール接続の形成をさらに調整し、又は指示してもよい。いくつかの実施形態では、２つ又はそれ以上の基礎となるＷＡＮインターフェースから論理的に結合したＷＡＮインターフェースを形成することができるトラフィック集約部を利用する。いくつかの実施形態においては、トラフィック集約解除部は、必要に応じて用いることができる。トラフィック集約は、逆多重化、イーサネットスイッチング、ＩＰルーティング、非同期転送モード（ＡＴＭ）、時分割多重（ＴＤＭ）、ポイントツーポイントプロトコル（ＰＰＰ）、ＰＰＰマルチリンクプロトコル（ＭＬＰＰＰ）、又は他の技術を使用することができる。
【００２５】
古典的なトラフィック集約に代わって、物理的又は論理的に別個のトラフィックソース切り替えたりルーティングしたりすることにより選択的に集約し、異なる接続に受け入れるものがある。たとえば、ＬＡＮ上の第１のサブネットからのトラフィックは第１のＷＡＮ接続を移動することができ、ＬＡＮ上の第２のサブネットからのトラフィックは第２のＷＡＮ接続を移動することができる。この選択的な集約の機構は、物理ポート、優先度レベル、イーサネットＶＬＡＮ又はＭＡＣ  ＩＤ、ＩＰ番号、サブネット、ＴＣＰ／ＵＤＰポート番号、プロトコル、サービスのタイプ（ＴＯＳ）、ＤｉｆｆＳｅｒｖコードポイント（ＤＳＣＰ）、ＩＰ優先順位、ＭＰＬＳタグ、アプリケーション層などに応じてトラフィックを切り替えたり、ルーティングしたりすることができる。
【００２６】
トラフィックを選択的に切り替えたり、ルーティングしたりすることによる集約は、物理的な集約要素を用いることなく行うことができ、例えば、集約要素は、種々の記載された実施形態に従い物理的なエンティティ又は論理的に定義されたエンティティのいずれであってもよい。
【００２７】
トラフィック需要との接続帯域幅が時間の経過とともに変化するにつれ、接続の集約と選択を適応的に変化させることができる。例えば、第１のＬＡＮからの高いトラフィック需要は、第１及び第２のＷＡＮの両方を介してルーティングすることができるが、第１のＬＡＮからのトラフィックの需要が減少するとトラフィックが第２のＷＡＮ経由でルーティングされなくなる。第２のＬＡＮでトラフィックのトラフィック需要が増加すると、第１のＷＡＮ経由でルーティングしてもよい。より複雑なリアルタイムのロードバランシングは、適応型方式で帯域幅を供給して、全体的なトラフィック需要に一致するように組み込まれてもよい。
【００２８】
開示された実施形態は、３つ以上のＬＡＮにしたり、３つ以上のＷＡＮ接続を持つ場合にも拡張したりすることができる。このような場合、トラフィック集約方式は、例えばそれぞれが自身のリンクの品質、容量を持つ単一の接続又は複数の接続に、トラフィックを集約する方法の複数のトラフィックの入力と複数の選択肢を有する。トラフィック集約スキームの性能及び入力フロー特性及びリンク品質の間の相互依存性があるので、トラフィックは、手元のシナリオのためによりよく働くように重み付けされたアプローチによって集約させることができる。トラフィックは、すべてのアクセスポイントの条件が等しくはないことを考慮して重み付けすることができ、従って、接続が二つを超えるアクセスポイントに形成される場合に、例えば、異なる速度、スループット、遅延、又は別個のアクセスポイントに付随するその他の特性を補償するために、異なるアクセスポイントへの接続をそれに応じて重み付けすることができる。一実施形態では、重み付けは、異なるＷＡＮ接続の帯域幅の供給に依存し、さらに異なるＬＡＮからのトラフィックの需要に依存している。重みは、トラフィックのタイプ又は優先順位、異なるサービスレベル、異なるサービスなどに応じてさらに変化してもよい。重み付けは、チャネル品質が時間とともに変化するという事実の結果として時間変化してもよい。このことは、宅内電力線通信（ＰＬＣ）が時間変化する障害に直面していることが知られているＬＡＮの場合にも該当する。
【００２９】
開示された実施形態は、同じＬＡＮに複数の物理的に分離されたチャネルを介して拡張する例にも拡張することができる。例えば、Ｇ．ｈｎ（ＩＴＵ−Ｔの標準化され、統一された高速有線ベースのホームネットワーク）ノードは、電話回線、電力線及び同軸ケーブルを介して動作するＬＡＮを有する例のような場合；又はハイブリッド有線／無線ＬＡＮの場合がある。これらの例では、ＷＡＮ経由のトラフィック集約は、同軸又は電話回線や電力線や無線に由来する入力に異なる重みを適用することができる。同様に、一つのソースが単一の物理チャネルが満たせないような多くのチャネル資源を必要とする場合も同様に、トラフィック処理の仕組みは、入力トラフィックを分割し、同時に複数のチャネルを介して入力トラフィックを送信することができる。これは、リンク状態に応じておそらく不均等な重みを使用して達成することができ、入力トラフィックをＷＡＮ又は最終的にＬＡＮ内のシンクで集約解除することができる。
【００３０】
以下の説明において、多数の特定の詳細が、様々な実施形態の完全な理解を与えるために、特定のシステム、言語、コンポーネントなどの例として記載されている。しかしながら、これらの特定の詳細が開示された実施形態を実施するのに使用する必要はないことは当業者には明らかであろう。他の例では、周知の材料又は方法は、開示された実施形態を不必要に不明瞭にしないために詳細に説明されていない。
【００３１】
図面に示され、本明細書に記載された様々なハードウェア構成要素に加えて、実施形態は、以下でさらに説明される様々な動作を含む。そのような実施形態に従って説明した動作は、ハードウェアの構成部品によって実行され得るか、又は動作を実行するための命令でプログラムされた汎用又は専用プロセッサに使用させることができるマシン実行可能な命令で具体化することができる。これに代わり、動作は、メモリ及びコンピューティングキプラットフォームの一つ以上のプロセッサを介して、本明細書に記載の動作を実行するソフトウェア命令を含むハードウェアとソフトウェアの組み合わせによって実行することができる。
【００３２】
実施形態は、本明細書の動作を実行するためのシステムやデバイスに関する。開示されるシステム又はデバイスは必要な目的のために特別に構築されてもよいし、あるいは、選択的にコンピュータに格納されたコンピュータプログラムによって活性化又は再構成される汎用コンピュータを含んでもよい。このようなコンピュータプログラムは、これらに限定されないが、フロッピー（登録商標）ディスク、光ディスク、フラッシュ、ＮＡＮＤ、ソリッドステートドライブ（ＳＳＤ）、ＣＤ−ＲＯＭ、及び磁気光学ディスクを含む任意のタイプのディスク、読み取り専用メモリ（ＲＯＭ）、ランダムアクセスメモリ（ＲＡＭ）、ＥＰＲＯＭ、ＥＥＰＲＯＭ、磁気又は光カード、又は、それぞれがコンピュータのシステムバスに結合された非一時的電子命令を格納するのに適した任意の種類の媒体のような、非一時的なコンピュータ可読記憶媒体に格納されてもよい。一実施形態では、記憶された命令を有する非一時的なコンピュータ可読記憶媒体は、管理デバイス、トラフィック集約部、及び／又はトラフィック集約解除器内の複数のプロセッサに、本明細書に記載される方法及び動作を行わせる。別の実施形態では、このような方法及び動作を実行するための命令は、後の実行のための非一時的なコンピュータ可読媒体上に記憶されている。
【００３３】
本明細書で提示されるアルゴリズム及び表示は、いかなる特定のコンピュータ又は他のデバイスにも、特定のプログラミング言語を参照した実施形態の説明にも本質的に関連していない。種々のプログラミング言語が、本明細書に記載されるような実施形態の教示を実施するために使用され得ることが理解されるであろう。
【００３４】
図１は、実施形態が動作させることができる例示的なアーキテクチャ１００を示している。非対称デジタル加入者線（ＡＤＳＬ）システム（デジタル加入者線（ＤＳＬ）システムの一形態）は、スプリッタを含んでも含まなくても、ＡＤＳＬ１（Ｇ．９９２．１）、ＡＤＳＬ−Ｌｉｔｅ（Ｇ．９９２．２）、ＡＤＳＬ２（Ｇ．９９２．３）、ＡＤＳＬ２−Ｌｉｔｅ  Ｇ．９９２．４、ＡＤＳＬ２＋（Ｇ．９９２．５）及びＧ．９９３．Ｘが生じる超高速デジタル加入者線又は超高ビットレートデジタル加入者線（ＶＤＳＬ）の規格だけでなく、Ｇ．９９１．１とＧ．９９１．２シングルペア高速デジタル加入者線（ＳＨＤＳＬ）規格（すべて結合あり、又はなし）、及び／又は（Ｇ．ｐｌｏａｍとも呼ばれる）Ｇ．９９７．１規格のような種々の適用可能な規格に準拠して動作することができる
【００３５】
開示された機能を実行する際に、システムはアクセスノード（ＡＮ）で入手できる各種の動作データ（パフォーマンスデータを含む）を利用することができる。
【００３６】
図１では、ユーザが端末デバイス１０２（例えば、顧客宅内機器（ＣＰＥ）デバイス又は遠隔端末デバイス、ネットワークノード、ＬＡＮデバイスなど）はホームネットワーク１０４に結合され、それは順にネットワーク終端（ＮＴ）ユニット１０８に連結されている。ＤＳＬ送受信機ユニット（ＴＵ）がさらに描かれている（例えば、ＤＳＬループ又はライン上の変調を提供するデバイス）。一実施形態では、ＮＴユニット１０８は、ＴＵ−Ｒ（ＴＵリモート）、１２２（ＡＤＳＬ又はＶＤＳＬ規格の一つによって定義される、例えば、送受信機）又は任意の他の適切なネットワーク終端モデム、送受信機又はその他の通信手段を備えている。ＮＴユニット１０８はまた、管理エンティティ（ＭＥ）１２４を含む。管理エンティティ１２４は、任意の適用可能な規格及び／又は他の基準によって要求されるように行うことが可能な、マイクロプロセッサ、マイクロコントローラ、又はファームウェア又はハードウェアにおける回路状態マシンなど、任意の適切なハードウェアデバイスとすることができる。管理エンティティ１２４は、とりわけ、動作データをその管理情報ベース（ＭＩＢ）に収集して格納し、ＭＩＢはネットワーク管理プロトコル（ＳＮＭＰ）などのネットワーク管理プロトコルを介して、又はトランザクション言語１（ＴＬ１）コマンドを介してアクセスすることが可能な各ＭＥによって維持されている情報のデータベースであり、ＳＮＭＰはネットワーク機器から情報を収集して管理者コンソール／プログラムに提供するために使用される管理プロトコルであり、ＴＬ１は電気通信ネットワーク要素間で応答及びコマンドをプログラムするのに使用される伝統あるコマンド言語である。一実施形態では、本明細書に記載されるように、ネットワーク終端ユニット１０８は、通信可能に管理デバイス１７０とインターフェースする。別の実施形態では、ＴＵ−Ｒ１２２は、通信可能管理デバイス１７０とインターフェースする。
【００３７】
システム内の各ＴＵ−Ｒ１２２は、セントラルオフィス（ＣＯ）又は他の中央の場所にＴＵ−Ｃ（ＴＵセントラル）と結合させることができる。ＴＵ−Ｃ１４２は、セントラルオフィス１４６内のアクセスノード（ＡＮ）１１４に位置している。管理エンティティ１４４は、同様に、ＴＵ−Ｃ１４２に関連する動作データのＭＩＢを保持する。アクセスノード１１４は、当業者によって理解されるように、ブロードバンドネットワーク１０６又は他のネットワークに接続されてもよい。ＴＵ−Ｒ１２２及びＴＵ−Ｃ１４２はループ１１２によって互いに結合されているが、ＡＤＳＬの場合、電話回線のようなツイストペア線であってもよく、ＤＳＬベースの通信に加えて他の通信サービスを搬送することができる。本明細書に記載されるように、管理エンティティ１２４又は管理エンティティ１４４のいずれかは、管理デバイス１７０を実施し、組み込むことができる。管理エンティティ１２４又は管理エンティティ１４４は、関連するＭＩＢ内で収集したＷＡＮ情報や収集したＬＡＮ情報をさらに格納する。
【００３８】
図１に示すインターフェースのいくつかは、動作データを決定し、収集するために使用される。Ｑインターフェース１２６は、事業者のネットワーク管理システム（ＮＭＳ）１１６とアクセスノード１１４内のＭＥ１４４との間のインターフェースを提供する。Ｇ．９９７．１規格で指定されたパラメータは、Ｑインターフェース１２６に適用される。管理エンティティ１４４に支持された近端パラメータは、ＴＵ−Ｃ１４２から誘導されてもよく、ＴＵ−Ｒ１２２からの遠端パラメータは、ＵＡのインターフェース上の２つのインターフェースのいずれかにより導出されてもよい。インジケータビット及びＥＯＣメッセージは、埋め込みチャネル１３２を使用して送信され、物理媒体依存（ＰＭＤ）層に提供されてもよく、ＭＥ１４４で必要なＴＵ−Ｒ１２２パラメータを生成するために使用することもできる。又は、動作、管理、及び保守（ＯＡＭ）チャネル及び適切なプロトコルは、管理エンティティ１４４によって要求されたとき、ＴＵ−Ｒ１２２からパラメータを取り出すために使用されてもよい。同様に、ＴＵ−Ｃ１４２からの遠端パラメータは、Ｕインターフェース上の２つのインターフェースのどちらかによって導出することができる。ＰＭＤ層に提供されるインジケータビット及びＥＯＣメッセージは、ＮＴユニット１０８の管理エンティティ１２４で必要なＴＵ−Ｃ１４２パラメータを生成するために使用することができる。代わりに、ＯＡＭチャネル及び適切なプロトコルは、管理エンティティ１２４によって要求されたときＴＵ−Ｃ１４２からパラメータを取り出すために使用されてもよい。
【００３９】
Ｕインターフェース（また、ループ１１２とも呼ばれる）では、２つの管理インターフェースがあり、一つはＴＵ−Ｃ１４２（ＵＣインターフェース１５７）であり、一つはＴＵ−Ｒ１２２（ＵＲインターフェース１５８）である。インターフェース１５７は、Ｕインターフェース／ループ１１２を介して取得するために、ＴＵ−Ｒ１２２用のＴＵ−Ｃ近端パラメータを提供する。同様に、ＵＲインターフェース１５８は、Ｕインターフェース／ループ１１２経由で取得するために、ＴＵ−Ｃ１４２用のＴＵ−Ｒ近端パラメータを提供する。適用するパラメータ（例えば、Ｇ．９９２．１又はＧ．９９２．２）は、使用されている送受信機規格に依存し得る。Ｇ．９９７．１規格は、Ｕインターフェースを介し任意のオペレーション、管理及びメンテナンス（ＯＡＭ）の通信チャネルを指定する。このチャネルが実施されている場合、ＴＵ−ＣとＴＵ−Ｒのペアは、物理層ＯＡＭメッセージを搬送するために使用してもよい。このように、そのようなシステムのＴＵ送受信機１２２と１４２は、それぞれのＭＩＢで維持された各種の動作データを共有する。
【００４０】
図１に、いくつかの代替的な実施形態に応じてさまざまな任意の場所で動作する管理デバイス１７０が示されている。例えば、管理デバイス１７０は、ＬＡＮ内のような、ホームネットワーク１０４内に位置している。代替実施形態では、管理デバイス１７０は、セントラルオフィス１４６に配置され、ＮＭＳ１１６を介してホームネットワーク１０４（例えば、ＬＡＮ）、ブロードバンドネットワーク１０６（例えば、ＷＡＮ）にインターフェースしている。さらに別の実施形態では、管理デバイス１７０は、（ＷＡＮ又はインターネット上など）、ブロードバンドネットワーク１０６上で動作する。
【００４１】
また、図１には、いくつかの実施形態に従い、様々な任意の場所で動作するトラフィック集約部１８０が示されている。例えば、トラフィック集約部１８０は、ＴＥ１０２内に常駐することができ、ＴＥ１０２と接続されるＬＡＮデバイス１０３内に常駐することができ、トラフィック集約部１８０は、ＣＰＥ又はＣＯ側でループ１１２に常駐することができる。ここに示されるように、トラフィック集約部１８０は、ＮＴ１０８のループ１１２上に配置される。これら及び他の実施例及びその利点及び機能は、以下にさらに詳細に説明する。
【００４２】
本明細書中で使用される、用語「ユーザ」、「加入者」及び／又は「顧客」は、任意の様々なサービスプロバイダ（単数又は複数）によって通信サービス及び／又は機器が提供され、及び／又は潜在的に提供することができる人、ビジネス及び／又は組織を参照している。さらに、用語「顧客構内」は、通信サービスがサービスプロバイダによって提供されている場所を指す。例えばＤＳＬサービスを提供するために使用される公衆交換電話網（ＰＳＴＮ）、顧客構内は、電話回線のネットワーク終端（ＮＴ）側、近く、及び／又は付随して位置している。たとえば、顧客の施設には、住宅やオフィスビルもある。
【００４３】
ここで使用する用語「サービスプロバイダ」は、通信サービス及び／又は通信機器を提供し、販売し、設定し、修理し、及び／又は維持する様々なエンティティのいずれかを指す。たとえば、サービスプロバイダは、電話事業会社、ケーブル事業会社、無線事業会社、インターネットサービスプロバイダ、又は独立して、又はブロードバンド通信サービスプロバイダと連携してブロードバンド通信サービス（ＤＳＬを含む、ＤＳＬサービス、ケーブルなど）を診断したり、改善するサービスを提供したりする任意のサービスを含む。
【００４４】
さらに、本明細書中で使用される用語「ＤＳＬ」は、例えば、非対称ＤＳＬ（ＡＤＳＬ）、高速ＤＳＬ（ＨＤＳＬ）、対称ＤＳＬ（ＳＤＳＬ）、及び／又は非常に高速／超高ビットレートＤＳＬ（ＶＤＳＬ）などのＤＳＬ技術の各種又は変種のいずれかを指す。このようなＤＳＬ技術は、一般的に、例えばＡＤＳＬモデムの国際電気通信連合（ＩＴＵ）標準Ｇ．９９２．１（別名Ｇ．ｄｍｔ）、ＡＤＳＬ２モデムのＩＴＵ標準Ｇ．９９２．３（別名Ｇ．ｄｍｔ．ｂｉｓ、又はＧ．ａｄｓｌ２）、ＡＤＳＬ２＋モデムのＩＴＵ標準Ｇ．９９２．５（別名Ｇ．ａｄｓｌ２ｐｌｕｓ）、ＶＤＳＬモデムのＩＴＵ標準Ｇ．９９３．１（別名Ｇ．ｖｄｓｌ）、ＶＤＳＬ２モデムのＩＴＵ標準Ｇ．９９３．２、ハンドシェークを実施するモデムのＩＴＵ標準Ｇ．９９４．１（Ｇ．ｈｓ）、及び／又はＤＳＬモデムの管理のためのＩＴＵＧ９９７．１（別名Ｇ．ｐｌｏａｍ）標準などの適用可能な規格に準拠して実施されている。
【００４５】
顧客へのＤＳＬモデム及び／又はＤＳＬ通信サービスの接続の参照は、例示的なデジタル加入者線（ＤＳＬ）デバイス、ＤＳＬサービス、ＤＳＬシステム、及び／又はＤＳＬサービスを分配する通常のツイストペア銅電話回線についてなされ、本明細書に開示された通信システムについて伝送媒体を特性化及び／又はテストする開示された方法及びデバイスは、他の多くのタイプ及び／又は様々な通信機器、サービス、技術及び／又はシステムに適用することができることが理解されるべきである。例えば、他のタイプのシステムは、無線配信システム、有線又はケーブル配信システム、同軸ケーブル配信システム、極超短波（ＵＨＦ）／超短波（ＶＨＦ）無線周波数システム、衛星又は他の地球外システム、セルラー配信システム、ブロードバンド電力線システム及び／又は光ファイバネットワークを含む。さらに、これらのデバイス、システム及び／又はネットワークの組合せを使用することもできる。たとえば、バランコネクタを介したインターフェースによるツイストペアと同軸ケーブルとの組み合わせ、又は光ネットワークユニット（ＯＮＵ）における線形光−電気的接続を有するアナログファイバから銅への接続などの任意の他の物理チャネル継続組合せを使用することができる。
【００４６】
「に連結され」、「と連結され」、「に接続され」、「と接続され」などは、本明細書で二つの要素及び／又は構成部品の間の接続を説明するために使用され、及び、たとえば一つ以上の介在要素を介して、又は有線／無線を介して連結／接続され、直接的に一緒に、又は間接的に、連結／接続されたことを意味することを意図している。「通信システム」への言及は、適用可能であれば、データ伝送システムの任意の他のタイプへの参照を含むよう意図されている。
【００４７】
図２Ａは、実施形態が動作する別の典型的なアーキテクチャ２００を示している。図２Ａは、要素２０５Ａにおける第１のワイドエリアネットワーク（ＷＡＮ）、第２のＷＡＮ２０５Ｂ、要素２１０Ａにおける第１のローカルエリアネットワーク（ＬＡＮ）、及び第２のＬＡＮ２１０Ｂを示す。ＬＡＮアクセスデバイス２２０Ａは、トラフィック集約部２２５を介して、ＬＡＮ２１のＯＡをＷＡＮ２０５Ａに接続している。ＬＡＮ２１０Ｂは、ＬＡＮアクセスデバイス２２０Ｂを介して、ＷＡＮ２０５Ｂと接続されている。ＬＡＮアクセスデバイス２３０は、トラフィック集約部２２５及びＬＡＮアクセスデバイス２２０Ｂとの間の通信インターフェースを提供する。
【００４８】
図２Ａ〜２Ｈに示された一連の典型的な実施形態では、二つのＬＡＮアクセスデバイスが示されている（例えば、図２Ａの２２０Ａ及び２２０Ｂ）。しかしながら、二つ以上のＬＡＮアクセスデバイスが実施形態に応じて動作することが許容でき、及び例示的な図面におけるそのような二つのＬＡＮアクセスデバイスの描写は二つだけに限定されると解釈されるべきではない。
【００４９】
一実施形態では、このようなアーキテクチャ２００又はシステムは、第１のＬＡＮ２１０Ａを確立する第１のローカルエリアネットワーク（ＬＡＮ）アクセスデバイス２２０Ａ、及び、第１のＬＡＮ２１０Ａから動作上区別される第２のＬＡＮ２１０Ｂを確立するための第２のＬＡＮアクセスデバイス２２０Ｂを備える。このような実施形態では、アーキテクチャ２００又はシステムは、第１のＬＡＮアクセスデバイス２２０ＡにＷＡＮ接続を提供するため、第１のワイドエリアネットワーク（ＷＡＮ）バックホール接続２１１を含む。この実施形態では、アーキテクチャ２００又はシステムは、ＷＡＮ接続を有する第２のＬＡＮアクセスデバイス２１０Ａを提供するために、第ＷＡＮバックホール接続２１２をさらに含む。この実施形態では、第１のＷＡＮバックホール接続２１１及び第２のＷＡＮバックホール接続２１２の各々は、物理的に別個である。本実施例のアーキテクチャ２００又はシステムは、第１のＷＡＮバックホール接続２１１及び第２のＷＡＮバックホール接続２１２を介し論理的に結合したＷＡＮインターフェース２１３を形成するために、トラフィック集約部２２５を含む。
【００５０】
一実施形態では、論理的に結合したＷＡＮインターフェース２１３は、第１のＷＡＮバックホール接続２１１を介してアクセス可能な第１の帯域幅及び第２のＷＡＮバックホール接続２１２を介してアクセス可能な第２の帯域幅の組み合わせを介して、第１のＬＡＮアクセスデバイス２２０Ａと第２のＬＡＮアクセスデバイス２２０ＢにＷＡＮ接続を提供する。
【００５１】
一実施形態では、論理的に結合したＷＡＮインターフェース２１３は、ＷＡＮ接続を備えた第１のＬＡＮアクセスデバイス２２０Ａを提供し、ＷＡＮ接続を備えた第２のＬＡＮアクセスデバイス２２０Ｂをさらに提供する。このような実施形態では、論理的に結合したＷＡＮインターフェース２１３は、第１のＷＡＮバックホール接続２１１に取って代わり（たとえばが、置き換え、奪い取るなどの代わりに使用される）、第１のＬＡＮアクセスデバイス２２０ＡにそれぞれのＷＡＮ接続を提供し、さらに第２のＷＡＮバックホール接続２１２も取って代わり、第２のＬＡＮアクセスデバイス２２０ＢにそれぞれのＷＡＮ接続を提供する。例えば、このような実施形態では、ＬＡＮアクセスデバイス２２０Ａ−Ｂの両方は、それぞれのＷＡＮインターフェース２１１及び２１２それぞれよりむしろ、ひとたび確立されると論理的に結合したＷＡＮインターフェース２１３を介して通信する。
【００５２】
一実施形態では、第１のＷＡＮバックホール接続２１１は、データ接続、音声接続、ビデオ接続、及びモバイルデバイス接続の１つ以上を複数の加入者に提供するサービスプロバイダへの第１のＷＡＮバックホール接続２１１を介して、第１のＬＡＮアクセスデバイス２２０ＡにＷＡＮ接続を提供する。一実施形態において、第２のＷＡＮバックホール接続２１２は、同じサービスプロバイダへの物理的に別個の通信リンクを介した同一のサービスプロバイダへの第２のＷＡＮバックホール接続２１２を介して、第２のＬＡＮアクセスデバイス２２０ＢにＷＡＮ接続を提供する。たとえば、ＷＡＮリンクバックホール接続２１１及び２１２は、物理的に別個の通信リンクであるが、両方は同じサービスプロバイダに通信可能にリンクするものを表すことができる。このようなサービスプロバイダは、ワイドエリアネットワーク２０５Ａ−Ｂを実施又は確立してもよい。
【００５３】
一実施形態において、第２のＷＡＮバックホール接続に関連付けられていた同じサービスプロバイダへの物理的に別個の通信リンクは、インターネットキプロトコル（ＩＰ）アドレスによって、第１のＷＡＮバックホール接続のＩＰアドレスとは異なることが識別される。このような実施形態では、第２のＷＡＮバックホール接続２１２に関連付けられている同じサービスプロバイダへの物理的に別個の通信リンクは、第１のＷＡＮバックホール接続２１１に関連付けられた加入者のアカウントとは異なる加入者のアカウントに関連付けられている。例えば、第１のＷＡＮバックホール接続２１１は、一つの家又はオフィスにつながることがあり、及び第２のＷＡＮバックホール接続２１２は、分離した別個の家又はオフィスにつながることがある。それにもかかわらず、両方が同じサービスプロバイダに由来することがある。
【００５４】
一実施形態では、第１のＷＡＮバックホール接続２１１は、データ接続、音声接続、ビデオ接続、及びモバイルデバイスの接続の一つ以上を複数の加入者に提供する第１のサービスプロバイダへの第１のＷＡＮのバックホール接続２１１を介したバックホール接続を有する第１のＬＡＮアクセスデバイス２２０Ａを提供し、及び第２のＷＡＮバックホール接続２１２は、第１のサービスプロバイダから独立した別個の第２のサービスプロバイダへの第２のＷＡＮバックホール接続２１２を介したＷＡＮ接続を有する第２のＬＡＮアクセスデバイス２２０Ｂを提供している。例えば、前述の例と異なり、第１及び第２のＷＡＮバックホール接続２１１及び２１２の各々は、完全に異なるサービスプロバイダにつながることがある。
【００５５】
一実施形態では、第１のＬＡＮ２１０Ａからのトラフィックの少なくとも一部と第２のＬＡＮ２１０Ｂからのトラフィックの少なくとも一部は、論理的に結合したＷＡＮインターフェース２１３を通過する。
【００５６】
一実施形態では、（ａ）第１のＬＡＮ２１０Ａに由来する第１の複数のトラフィックパケットは、第１のＷＡＮバックホール２１１を介して論理的に結合したＷＡＮインターフェース２１３をトラフィック集約部２２５を通って通過し；（ｂ）第１のＬＡＮ２１０Ａに由来する第２の複数のトラフィックパケットは、第２のＷＡＮバックホール２１２を介して論理的に結合したＷＡＮインターフェース２１３をトラフィック集約部２２５を通って通過し；（ｃ）第２のＬＡＮ２１０Ｂに由来する第３の複数のトラフィックパケットは、第１のＷＡＮバックホール２１１を介して論理的に結合したＷＡＮインターフェース２１３をトラフィック集約部２２５を通って通過し；及び（ｄ）第２のＬＡＮ２１０Ｂに由来する第４の複数のトラフィックパケットは第２のＷＡＮバックホール２１２を介して論理的に結合したＷＡＮインターフェース２１３をトラフィック集約部２２５を通って通過する。このように、ＬＡＮ２１０Ａ−Ｂのいずれかに由来するパケットは、基礎となる根底にあるＷＡＮバックホール接続２１１及び／又は２１２のいずれか又は両方を介して、論理的に結合したＷＡＮインターフェース２１３を通過することができる。このような実施形態では、トラフィック集約部２２５がＷＡＮ２０５Ａ−Ｂの中でアクセス可能な様々な場所に送られた、又は場所を指定された複数のパケットに必要な調整を提供する（例えば、インターネットを介してある場所にルーティングされなければならないパケットなど）ときに、ＬＡＮ２１０Ａ−ＢのいずれかにおけるＬＡＮデバイスは、任意の所与のパケットのために利用されている基礎となるバックホール接続かを全体的に知って、又は知らずに動作することができる。
【００５７】
一実施形態では、第１のＬＡＮ２１０Ａは、第１の複数の相互接続されたＬＡＮノード２３８を含んでいる。このような実施形態では、第１の複数の相互接続されたＬＡＮノード２３８の各々は、第１のＬＡＮアクセスデバイス２２０Ａによって管理されるプライベートインターネットプロトコル（ＩＰ）アドレスによって第１のＬＡＮ２１０Ａ内で識別可能である。このような実施形態では、第２のＬＡＮ２１０Ｂは第２の複数の相互接続されたＬＡＮノード２３９を含み、第２の複数の相互接続されたＬＡＮノード２３９は第２のＬＡＮアクセスデバイス２２０Ｂによって管理されるプライベートＩＰアドレスによって第２のＬＡＮ２１０Ｂ内で識別可能である。このような実施形態では、第１のＬＡＮアクセスデバイス２２０Ａは第１のＬＡＮアクセスデバイス２２０Ａに割り当てられた第１の固有のパブリックＩＰアドレスを介して識別可能であり、及び第２のＬＡＮアクセスデバイス２２０Ｂは第２のＬＡＮアクセスデバイス２２０Ｂに割り当てられた第２の固有のパブリックＩＰアドレスを介して識別可能である。
【００５８】
ＬＡＮノード２３８及び２３９は、それぞれの選択基準に従って、それぞれのＬＡＮアクセスデバイス２２０Ａ及び２２０Ｂと関連付けることができる。たとえば、ＬＡＮノード２３８及び２３９は、ＲＳＳＩ（受信信号強度表示）などによって示されているように最高受信電力を有するＬＡＮアクセスデバイスに関連付けてもよい。代わりに、ノードが既存のノードにサービスを提供している、又はサービスを提供した後、ＬＡＮアクセスデバイスがそれぞれのＬＡＮノードにサービスを提供できる帯域幅に基づいてＬＡＮアクセスデバイスに関連付けられてもよい。ＬＡＮアクセスデバイスのＷＡＮバックホール容量も、この選択を行うために考慮されてもよい。別の選択基準は、ＬＡＮノードがより少数の既存のノードにサービスを提供するＬＡＮアクセスデバイスに関連付けることであってもよい。他のケースでは、ＬＡＮアクセスデバイスに関連付けるセキュリティ要件は関連付けるために一つのＬＡＮアクセスデバイスのみを有するノードを残してもよい。
【００５９】
例えば、固有のパブリックＩＰアドレスの各々は、それぞれのＬＡＮアクセスデバイス２２０Ａ−Ｂにインターネット接続を提供するＩＳＰやサービスプロバイダによって割り当てられてもよい。したがって、一実施形態によれば、第１及び第２の固有のパブリックＩＰアドレスの各々は、公衆インターネットを介して直接にアドレス可能である。一実施形態では、ＬＡＮアクセスデバイス２２０Ａ−Ｂによって管理されるプライベートインターネットプロトコル（ＩＰ）アドレスはインターネット介して直接にアドレス指定可能ではないが、その代わりに、ネットワークアドレス変換（ＮＡＴ）、又は、例えば、モデム、ルータなどによって提供される転送メカニズムのようないくつかの転送メカニズムに頼る必要がある。したがって、一実施形態によれば、第１又は第２の複数の相互接続されたＬＡＮノード２３８及び２３９のいずれも公衆インターネットを介して直接にアドレス可能ではないが、これは、第１又は第２の複数の相互接続されたＬＡＮ２３８及び２３９ノードの各々が、公衆インターネットからのトラフィックを受信するために第１の又は第２の複数の相互接続されたＬＡＮノード２３８及び２３９のそれぞれに関連付けられたプライベートＩＰアドレスに対応するアドレス変換を必要とするからである。例えば、ＬＡＮアクセスデバイスは、インターネットに面していてもよいが、相互接続されたＬＡＮノード２３８及び２３９はそうではなく、したがってある程度保護されるが、これは、トラフィックが、複数の相互接続されたＬＡＮノード２３８及び２３９がアクセスされる前に、少なくともＬＡＮアクセスデバイスを最初に通過しなければならないからである。
【００６０】
代替の実施形態では、第１のＬＡＮ２１０Ａは、第１のＬＡＮアクセスデバイス２２０Ａによって管理される一つ以上の仮想ローカルエリアネットワーク（ＶＬＡＮ）タグによってそれぞれが第１のＬＡＮ２１０Ａ内で識別可能である第１の複数の相互接続されたＬＡＮノード２３８を含み、第２のＬＡＮ２１０Ｂは、第２のＬＡＮアクセスデバイス２２０Ｂによって管理される一つ以上のＶＬＡＮタグによってそれぞれが第２のＬＡＮ２１０Ｂ内で識別可能である第２の複数の相互接続されたＬＡＮノード２３９を含む。そのような代替的な実施形態において、第１のＬＡＮアクセスデバイス２２０Ａは、ボイスオーバーインターネットプロトコル（ＶｏＩＰ）のサービス及び／又はインターネットプロトコルテレビ（ＩＰＴＶ）サービスを一つ以上のＶＬＡＮタグを使用したイーサネットレベルのアドレス指定に基づいて第１のＬＡＮ２２０Ａ内の一つ以上の相互接続されたＬＡＮノード２３８に提供し、第２のＬＡＮアクセスデバイス２２０Ｂは、ＶｏＩＰサービス及び／又はＩＰＴＶサービスを一つ以上のＶＬＡＮタグを使用したイーサネットレベルのアドレス指定に基づいて第２のＬＡＮ２１０Ｂ内の一つ以上の相互接続された第２のＬＡＮノード２３９に提供する。この実施形態では、第１及び第２の複数の相互接続されたＬＡＮノード２３８及び２３９のいずれかは、それぞれ第１又は第２のＬＡＮアクセスデバイス２２０Ａ−Ｂによって管理される一つ以上のＶＬＡＮタグに少なくとも基づいて一意に識別することができる。例えば、ユニットは、一つ以上のＶＬＡＮタグを使用した遠隔デバイスを介してインターネット上でアドレス可能であってもよい。
【００６１】
一実施形態によれば、トラフィック集約部２２５は、第１のＬＡＮアクセスデバイス２２０Ａに関連付けられているパブリックインターネットプロトコル（ＩＰ）とは別個で、第２のＬＡＮアクセスデバイス２２０Ｂに関連付けられたパブリックＩＰアドレスとは別個のパブリックＩＰアドレスを含み、又は割り当てられている。これにより、ＬＡＮアクセスデバイス２２０Ａ−Ｂのいずれかからも別途に、別個に、固有に、及び別々に識別可能及びアドレス指定可能である。
【００６２】
一実施形態では、第１のＷＡＮバックホール接続２１１は、第１のＬＡＮ２１０Ａの第１の転送速度を含むか又は対応し、第２のＷＡＮバックホール接続２１２は、第２のＬＡＮ２１０Ｂの第２平均転送レートを含むか又は対応する。したがって、ＬＡＮノード２３８の一つのよう、ＬＡＮ２１０Ａ−Ｂの１つの内のクライアントデバイスは、基礎となる第１又は第２のＷＡＮバックホール接続部２１１及び２１２の一方のみを用いて可能であるよりも、論理的に結合したＷＡＮインターフェース２１３を使用してより大きな転送レートを達成することができる。例えば、第１及び第２の転送速度は、瞬時データレート、平均ピークデータレート、又はピーク転送速度のいずれかを構成することができ、さらには、個々に第１又は第２の各転送速度のいずれよりも大きいデータスループット容量の集約転送レートをもたらす。
【００６３】
一実施形態によれば、トラフィック集約部２２５は、第１のＬＡＮアクセスデバイス２２０Ａと第２のＬＡＮアクセスデバイス２２０Ｂのそれぞれから、物理的に独立して別個に動作する。このような実施形態では、トラフィック集約部２２５は、第１のＬＡＮアクセスデバイス２２０Ａと第２のＷＡＮバックホール接続２１１との間に通信可能にインターフェースされ、トラフィック集約部は、第１のＬＡＮアクセスデバイス２２０Ａと第ＷＡＮバックホール接続２１１の各々への直接の通信リンクを有している。このような実施形態では、トラフィック集約部２２５は、さらに通信可能に第２のＬＡＮアクセスデバイス２２０Ｂとインターフェースされ、トラフィック集約部２２５は、第２のＷＡＮバックホール接続２１２と直接に通信して動作する第２のＬＡＮアクセスデバイス２２０Ｂを通る第２のＷＡＮバックホール接続２１２への間接的な通信リンクを有している。例えば、第１のＬＡＮアクセスデバイス２２０Ａと第１のＷＡＮバックホール接続２１１との間のトラフィック集約部２２５を通信可能にインターフェースする直接の通信リンクは、他の中間ノードと通信リンクを構成することができないが、第２のＷＡＮバックホール接続２１２への間接的な通信リンクは、間接的な接続が第２のＷＡＮバックホール接続２１２に到達する前に少なくとも一つの中間ノードを含む。
【００６４】
図示されているように、ＬＡＮアクセスデバイス２３０は、中間ノードである。ＡＮアクセスデバイス２２０Ｂは中間ノードとして機能することもできるが、これは、図示の経路は第２のＬＡＮアクセスデバイス２２０Ｂを通過し、第２のＷＡＮバックホール接続２１２に到達するからである。このように、代替的な実施形態によれば、システム又はアーキテクチャ２００は、トラフィック集約部２２５及び第２のＬＡＮアクセスデバイス２２０Ｂとの間に通信可能にインターフェースされ第３のＬＡＮアクセスデバイス２３０をさらに含む。そのような実施形態では、第３のＬＡＮアクセスデバイス２３０は、トラフィック集約部２２５及び第２のＬＡＮアクセスデバイス２２０Ｂの各々への直接の通信リンクを有する。この別の実施形態では、トラフィック集約部２２５は、第３のＬＡＮアクセスデバイス２３０を通る第２のＬＡＮアクセスデバイス２２０Ｂへの間接的な通信リンクを有し、第３のＬＡＮアクセスデバイス２３０は、第１のＬＡＮアクセスデバイス２２０Ａ又は第２のＬＡＮアクセスデバイス２２０Ｂの一方の障害イベントに応答して、第１のＷＡＮバックホール接続２１１及び第２のＷＡＮバックホール接続２１２上に論理的に結合したＷＡＮインターフェース２１３に代替バックアップ通信パスを提供する。
【００６５】
図２Ｂは、実施形態が動作できる代替的な例示のアーキテクチャ２０１を示している。図２Ｂは、トラフィック集約解除部２３５をさらに導入している。
【００６６】
一実施形態によれば、このようなアーキテクチャ２０１やシステムはさらに、第１のＷＡＮバックホール接続２１１と第２のＷＡＮバックホール接続２１２との間に通信可能にインターフェースされたトラフィック集約解除部２３５を含んでいる。このような実施形態において、トラフィック集約部２２５は、第１のＬＡＮ２１０Ａ及び第２のＬＡＮ２１０Ｂの両方に由来するトラフィックに関連したインターネットプロトコル（ＩＰ）アドレス（論理的に結合したＷＡＮインターフェース２１３を形成する）に接続する。このような実施形態では、トラフィック集約部２２５は、結合したＩＰアドレスを有するトラフィックをトラフィック集約解除部２３５を通ってさらにルーティングする。
【００６７】
一実施形態によれば、トラフィック集約解除部２３５は、第１及び第２のＷＡＮバックホール接続２１１及び２１２を介した複数の加入者へのデータ接続、音声接続、ビデオ接続、及びモバイルデバイスの接続の一つ以上を提供するサービスプロバイダによって管理されている。このような実施形態では、トラフィック集約解除部２３５は、第１のＬＡＮアクセスデバイス２２０Ａ、第２のＬＡＮアクセスデバイス２２０Ｂ、第３のＬＡＮアクセスデバイス２３０、及びトラフィック集約部２２５のそれぞれから物理的に分離して別個に動作する。
【００６８】
図２Ｃは、実施形態が動作できる別の典型的なアーキテクチャ２０２を示している。図２Ｃは、ＬＡＮアクセスデバイス２２０ａの統合されたサブコンポーネントとしてトラフィック集約部２２５を導入している。
【００６９】
一実施形態によれば、トラフィック集約部２２５は、第１のＬＡＮアクセスデバイス２２０Ａの統合されたサブコンポーネントとして動作し、第１のＬＡＮアクセスデバイス２２０Ａは第２のＬＡＮアクセスデバイス２２０Ｂから物理的に分離して別個に動作する。このような実施形態では、トラフィック集約部２２５は、第１のＬＡＮアクセスデバイス２２０Ａ（例えば、内部回路２２０Ａ等）の通信インターフェースを介して第１のＷＡＮバックホール接続２１１と通信可能にインターフェースする。このような実施形態では、トラフィック集約部２２５は、第２のＬＡＮアクセスデバイス２２０Ｂと通信可能にインターフェースされ、トラフィック集約部２２５は、第２のＷＡＮバックホール接続２１２と直接に通信して動作する第２のＬＡＮアクセスデバイス２２０Ｂを通った第２のＷＡＮバックホール接続２１２への間接的な通信リンクを使用している。
【００７０】
図２Ｄは、実施形態が動作できる代替的な例示のアーキテクチャ２０３を示している。図２Ｄは、トラフィック集約解除部２３５と通信しているＬＡＮアクセスデバイス２２０Ａの統合されたサブコンポーネントとしてトラフィック集約部２２５を導入する。
【００７１】
一実施形態では、説明したアーキテクチャ２０３又はシステムは、第１のＷＡＮバックホール接続２１１と第２のＷＡＮバックホール接続２１２との間に通信可能にインターフェースされたトラフィック集約解除部２３５を含み、トラフィック集約部２２５は、第１のＬＡＮ２１０Ａ及び第２のＬＡＮ２１０Ｂに由来するトラフィックに関連するインターネットプロトコル（ＩＰ）アドレスを結合することによって、及びトラフィック集約解除部２３５を通って結合したＩＰアドレスを有するトラフィックをさらにルーティングすることによって、第１のＷＡＮバックホール２１１及び第２のＷＡＮバックホール２１２にわたる論理的に結合されたＷＡＮインターフェース２１３を形成する。一実施形態によれば、第１のＷＡＮ２０５Ａ及び第２のＷＡＮ２０５Ｂ、及び対応する第１のＷＡＮバックホール接続２１１及び第２のＷＡＮバックホール接続２１２は、トラフィック集約解除器２３５を介して集約ネットワークを形成し、示されているようにトラフィック集約解除器２３５はインターネットＷＡＮ２９９に接続されている。
【００７２】
図２Ｅは、実施形態が動作できる代替的な例示のアーキテクチャ２０４を示している。図２Ｅは、１つ又は複数の無線通信経路２４２Ａ及び２４２Ｂを確立するために一つ以上の無線送受信機２４１（例えば、各々が１つ以上のアンテナを有する）を有するＬＡＮデバイス２４０を導入する。無線カバレッジエリア２４３は、ＬＡＮアクセスデバイス２２０Ａ−Ｂにおける無線送受信機２４４Ａ及び２４４Ｂとしてさらに示されている。
【００７３】
一実施形態では、第１のＬＡＮ２１０Ａ内で動作する複数のＬＡＮデバイス２４０のうちの少なくとも一つは、第１のＬＡＮアクセスデバイス２２０Ａを通った第１のＷＡＮバックホール接続２１１への第１の通信経路を使用し、そのような実施形態では、第１のＬＡＮデバイス２１０Ａ内で動作する複数のＬＡＮデバイス２４０のうちの少なくとも一つは、第２のＬＡＮアクセスデバイス２２０Ｂを通った第２のＷＡＮバックホール接続２１２への第２の通信経路を使用する。このような実施形態では、少なくとも一つのＬＡＮデバイス２４０は、それぞれ第１及び第２の無線通信経路２４２Ａ−Ｂ間で多重化することにより第１のＬＡＮアクセスデバイス２２０Ａへの第１の無線通信経路２４２Ａ及び第２の無線通信経路２４２Ｂへの第２のＬＡＮアクセスデバイス２２０Ｂを同時に維持することが可能な多重無線送受信機２４１；第１の無線通信経路２４２Ａを終了し、第２の無線通信経路２４２Ｂに切り替えることにより第１のＬＡＮアクセスデバイス２２０Ａへの第１の無線通信経路２４２Ａを確立することが可能で、及び第２のＬＡＮアクセスデバイス２２０Ｂへ第２の無線通信経路２４２Ｂを確立することが可能な無線送受信機２４１；及び第１の無線送受信機２４１と第２の無線送受信機２４１であって、第１及び第２の無線送受信機２４１は、第１のＬＡＮアクセスデバイス２２０Ａへの第１の無線通信経路２４２Ａを確立することが可能で、及び第２のＬＡＮアクセスデバイス２２０Ｂへの第２の無線通信経路２４２Ｂを第１のＬＡＮアクセスデバイス２２０Ａへの第１の無線通信経路２４２Ａと同時、又は同時にではないかのいずれかで確立することが可能あるものの少なくとも一つを含む。
【００７４】
一実施形態では、第１のＬＡＮアクセス２２０デバイスは、第１のＬＡＮ２１０Ａ内で動作する複数のＬＡＮデバイス２４０の少なくとも一つに共通の住宅敷地内にあり、第２のＬＡＮアクセスデバイス２２０Ｂは、最初の住宅敷地に隣接する付近で第２の住宅敷地内にある。このような実施形態では、第２のＬＡＮアクセスデバイス２２０Ｂに関連する無線カバレッジエリア２４３は、第１の住宅敷地及び第１のＬＡＮ２１０Ａ内で動作する複数のＬＡＮデバイス２４０の少なくとも一方と重複する。このような実施形態では、第１のＬＡＮ２１０Ａ内で動作する複数のＬＡＮデバイス２４０のうちの少なくとも一つは、第１のＬＡＮアクセスデバイス２２０Ａに関連する障害イベントに応答して第２のＬＡＮアクセスデバイス２２０Ｂを通って第２のＷＡＮバックホール接続２１２との接続を確立する。
【００７５】
一実施形態では、第１のＬＡＮ２１０Ａ内で動作する複数のＬＡＮデバイス２４０のうちの少なくとも一つは、第１のＬＡＮアクセスデバイス２２０Ａに関連した障害イベントに応答して、第１の複数のＬＡＮデバイス２４０内の複数のＬＡＮデバイス２４０の少なくとも一つの送受信機２４１と、第１のＬＡＮアクセスデバイス２２０Ａの外部にあり、動作上別個の第２のＬＡＮアクセスデバイス２２０Ｂの送受信機２４４Ｂとの間の無線通信経路２４２Ｂを介して、第２のＷＡＮバックホール接続２１２への接続を確立する。このような実施形態では、障害イベントは、第１のＬＡＮアクセスデバイス２２０Ａと対応する第１のＷＡＮバックホール接続２１１との間の接続の全損失によって特徴付けられるハード障害イベント、又は、第１のＬＡＮアクセスデバイス２２０Ａと対応する第１のＷＡＮバックホール接続２１１との間の閾値に基づいて、劣化した接続性によって特徴付けられるソフト障害イベントに対応する。
【００７６】
一実施形態では、第１のＬＡＮ２１０Ａ内の複数のＬＡＮデバイス２４０の少なくとも一つの送受信機２４１と第２のＬＡＮアクセスデバイス２２０Ｂの送受信機２４４Ｂとの間の無線接続は、第２のＬＡＮアクセスデバイス２２０ＢのゲストＳＳＩＤ（サービスセット識別子）を用いて第２のＬＡＮアクセスデバイス２２０Ｂと接続する複数のＬＡＮデバイス２４０のうちの少なくとも一つを構成している。特定の実施形態では、第２のＬＡＮアクセスデバイス２２０ＢのゲストＳＳＩＤは、ゲストデバイス（例えば、別個のＬＡＮ２１０ＡからのＬＡＮデバイス２４０の一つなど）が第２のＬＡＮアクセスデバイス２２０Ｂを通って第２のＷＡＮバックホール接続２１２と通信できるようにする。そのような実施形態では、第２のＬＡＮアクセスデバイス２２０ＢのゲストＳＳＩＤは、第２のＷＡＮバックホール接続２１２を最初に通過することなく第２のＬＡＮ２１０Ｂ内で動作する任意のデバイスと通信することからゲストデバイスをさらに制限する。例えば、すぐに同じＬＡＮアクセスデバイス２２０Ｂにネットワーク接続された第２のＬＡＮ２１０Ｂのようなデバイスにもかかわらず、ゲストデバイスは、例えば、インターネットを介して通信を確立することによって、ゲストデバイスがまだそれらの元のＬＡＮアクセスデバイス２２０Ａに接続されているかのように、ＷＡＮ２０５Ａ−Ｂを通って依然として通信しなければならない。そうすることで、ゲストデバイスが第２のＷＡＮバックホールリソース２１２を利用することを可能にしながら、セキュリティがセカンダリネットワークインフラに維持される。
【００７７】
図２Ｆは、実施形態が動作できる別の典型的なアーキテクチャ２０６を示している。図２Ｆは、ＬＡＮデバイス２４０ａのうちの一つの内に統合されたサブコンポーネントとしてトラフィック集約部２２５を導入している。
【００７８】
一実施形態によれば、トラフィック集約部２２５は、第１のＬＡＮ２１０Ａ内で動作する複数のＬＡＮデバイス２４０Ａの一つの内に統合されたサブコンポーネントとして動作する。このような実施形態では、トラフィック集約部２２５は、第１のＬＡＮアクセスデバイス２２０Ａへの通信経路を介して第１のＷＡＮバックホール接続２１１と通信可能にインターフェースされ、同様に第１のＬＡＮアクセスデバイス２２０Ａは第１のＷＡＮバックホール接続２１１への通信経路を介してインターフェースされている。本実施形態では、トラフィック集約部２２５は、第１のＬＡＮ２１０Ａ内で動作する複数のＬＡＮデバイス２４０Ａのうちの一つの内のサブコンポーネントとして統合され、第２のＬＡＮアクセスデバイス２２０Ｂと通信可能にさらにインターフェースされ、トラフィック集約部２２５は、第２のＬＡＮアクセスデバイス２２０Ｂを通って第２のＷＡＮバックホール接続２１２への間接的な通信リンクを使用し、第２のＬＡＮアクセスデバイス２２０Ｂは第２のＷＡＮバックホール接続２１２と直接通信して動作する。
【００７９】
一実施形態では、トラフィック集約部２２５は、複数の第１のＬＡＮデバイス２４０Ａの内の１つからＬＡＮアクセスデバイス２２０Ａへの無線通信経路２４２Ａを介して第１のＬＡＮアクセスデバイス２２０Ａと通信し、さらに、トラフィック集約部２２５は、複数のＬＡＮデバイス２４０Ａの内の１つから第１のＬＡＮアクセスデバイス２２０Ｂへの第２の無線通信経路２４２Ｂを通って第２のＬＡＮアクセスデバイス２２０Ｂと通信する。
【００８０】
一実施形態では、複数のＬＡＮデバイス２４０Ａの一つから第１及び第２のＬＡＮアクセスデバイス２２０Ａ−Ｂそれぞれへの第１及び第２の無線通信経路２４２Ａ−Ｂは、第１及び第２の無線通信経路２４２Ａ−Ｂとの間をそれぞれに多重化することによって第１のＬＡＮアクセスデバイス２２０Ａへの第１の無線通信経路２４２Ａ及び第２のＬＡＮアクセスデバイス２２０Ｂへの第２の無線通信経路２４２Ｂを同時に維持する多重無線送受信機２４１を介した無線接続；第１の無線通信経路２４２Ａを終了し、第２の無線通信経路２４２Ａにスイッチングすることによって、第１のＬＡＮアクセスデバイス２２０Ａへの第１の無線通信経路４２Ａを確立することが可能で、及び第２のＬＡＮアクセスデバイス２２０Ｂへの第２の無線通信経路２４２Ｂを確立することが可能である無線送受信機２４１を介した無線接続；及び、第１の無線送受信機２４１と第２の無線送受信機２４１を介した無線接続であって、第１及び第２の無線送受信機２４１は、第１のＬＡＮアクセスデバイス２２０Ａへの第１の無線通信経路２４２Ａを確立することが可能で、及び第１のＬＡＮアクセスデバイス２２０Ａへの第１の無線通信経路２４２Ａと同時に又は同時ではなく、第２のＬＡＮアクセスデバイス２２０Ｂへの第２の無線通信経路２４２Ｂを確立することが可能であるものの少なくとも一つを含む。
【００８１】
図２Ｇは実施形態が動作できる別の典型的なアーキテクチャ２０７を示している。図２Ｇは、トラフィック集約解除部２３５を再導入している。
【００８２】
一実施形態では、アーキテクチャ２０７又はシステムは、第１のＷＡＮバックホール接続２１１と第２のＷＡＮバックホール接続２１２との間を通信可能にインターフェースするトラフィック集約解除部２３５をさらに含み、トラフィック集約部２２５（ＬＡＮデバイス２４０Ａのうちの一つのサブコンポーネントとして統合されている）は、第１のＬＡＮ２１０Ａ及び第２のＬＡＮ２１０Ｂの両方に由来するトラフィックに関連付けられているインターネットプロトコル（ＩＰ）アドレスを結合することにより、さらにトラフィック集約解除部２３５を通って結合したＩＰアドレスを持つトラフィックをルーティングすることにより、第１のＷＡＮバックホール接続２１１及び第２のＷＡＮバックホール接続２１２上で論理的に結合したＷＡＮインターフェース２１３を形成する。トラフィック集約解除器は、第１及び第２のＷＡＮバックホール接続２１１及び２１２を介した複数の加入者へのデータ接続、音声接続、ビデオ接続、及びモバイルデバイスの接続の一つ以上を提供するサービスプロバイダによって管理されてもよい。トラフィック集約解除部２３５は、第１のＬＡＮアクセスデバイス２２０Ａ、第２のＬＡＮアクセスデバイス２２０Ｂ、第３のＬＡＮアクセスデバイス２３０、及びトラフィック集約部２２５のそれぞれから物理的に分離して別個であってもよい。
【００８３】
本明細書に記載した様々な実施形態によれば、第１のＷＡＮバックホール接続２１１と第２のＷＡＮバックホール接続２１２のそれぞれは、ＷＡＮバックホール接続のグループから選択され、このグループは、ブロードバンド接続；デジタル加入者線（ＤＳＬ）接続；ケーブル接続；フェムトセル接続；モバイル接続；ファイバ接続；無線接続；及び電力線（ＢＰＬ）接続を介したアクセスブロードバンド含む。
【００８４】
本明細書に記載の様々な実施形態によれば、第１及び第１のＬＡＮ２１０Ａ及び２１０Ｂの各々は、少なくともユーザデバイスを含む。開示された実施形態によれば、第１及び第２のＬＡＮアクセスデバイス２２０Ａ−Ｂの各々は、それぞれのユーザデバイスの各々を第１のＷＡＮバックホール接続２１１又は第２のＷＡＮバックホール接続２１２のいずれかに通信可能にリンクする。例えば、相互接続されたＬＡＮノード２３８及び２３９又は図２ＥからのＬＡＮデバイス２４０、２４０Ａ及び２４０Ｂのいずれかは、ユーザデバイスであってもよい。
【００８５】
本明細書に記載の様々な実施形態によれば、第１のＬＡＮ２１０Ａ及び第２のＬＡＮ２１０Ｂのそれぞれは、複数の相互接続されたＬＡＮノード２３８及び２３９を含む。このような実施形態では、複数の相互接続されたＬＡＮノード２３８及び２３９の各々は、以下の少なくとも１つを介して通信する：イーサネットベースのネットワーク接続；無線ベースのネットワーク接続；米国電気電子技術者協会（ＩＥＥＥ）８０２．１１規格ベースのネットワーク接続；の８０２．１１ａ、８０２．１１ｂ、８０２．１１ｇ、及び／又は８０２．１１ｎ無線互換性のあるネットワーク接続；第３世代（３Ｇ）互換プロトコル、第４世代（４Ｇ）互換プロトコル、及びロングタームエボリューション（ＬＴＥ）互換プロトコルのうちの少なくとも一つを含む移動セルラー互換性のあるプロトコルを介して送信するフェムトネットワーク接続；電力線の接続；電話システム接続；一般電話サービス（ＰＯＴＳ）接続；Ｇ．ｈｎ（ＩＴＵ−Ｔの標準化、統一、高速有線ベースのホームネットワーク）接続；及び同軸ケーブルの接続。
【００８６】
ここに記載した様々な実施形態によれば、第１のＬＡＮアクセスデバイス２２０Ａ及び第２のＬＡＮアクセスデバイス２２０Ｂの各々は、アクセスデバイスのグループから選択され、このグループは以下のものを含む：基地局；アクセスポイント；モデム；ルータ；ゲートウェイ；デジタル加入者線（ＤＳＬ）顧客宅内機器（ＣＰＥ）モデム；家庭内の電力線デバイス；ホーム電話回線ネットワークアライアンス（ＨＰＮＡ）ベースのデバイス；家庭内同軸分配デバイス；Ｇ．ｈｎ互換性のあるデバイス；宅内計量通信デバイス；通信可能ＬＡＮとインターフェースの家庭電化製品；無線フェムトセル基地局；無線対応基地局；無線移動機リピータ；無線移動機基地局；セットトップボックス（ＳＴＢ）／セットトップユニット（ＳＴＵ）顧客用電子機器；インターネットプロトコル（ＩＰ）が有効なテレビジョン；ＩＰ対応メディアプレーヤー；ＩＰ対応ゲームコンソール；イーサネットゲートウェイ；ＬＡＮに接続された計算デバイス；ホームプラグデバイス；電力線（ＢＰＬ）デバイス上でＩＥＥＥＰＩ９０１規格に互換性のあるアクセスブロードバンド；イーサネット接続されたコンピュータ周辺機器；イーサネット接続されたルータ；イーサネット接続された無線ブリッジ；イーサネット接続されたネットワークブリッジ；及びイーサネット接続されたネットワークスイッチ。
【００８７】
図２Ｈは、実施形態が動作できる代替的な例示のアーキテクチャ２０８を示している。図２Ｈは、第３のＬＡＮアクセスデバイス２３０内の統合されたサブコンポーネントとしてトラフィック集約部２２５を導入している。
【００８８】
一実施形態では、アーキテクチャ２０８又はシステムは、通信可能第１のＬＡＮアクセスデバイス２２０Ａと第２のＬＡＮアクセスデバイス２２０Ｂとの間でインターフェースされる第３のＬＡＮアクセスデバイス２３０をさらに含んでいる。このような実施形態ではトラフィック集約部２２５は、第３のＬＡＮアクセスデバイス２３０の統合されたサブコンポーネントとして動作し、第３のＬＡＮアクセスデバイス２３０は、第１のＬＡＮアクセスデバイス２２０Ａ及び第２のＬＡＮアクセスデバイス２２０Ｂの各々から物理的に分離して別個に動作する。
【００８９】
一実施形態では、トラフィック集約部は、第２のＬＡＮアクセスデバイス２２０Ｂと通信可能にインターフェースするデバイスを介して、第１の接続を使用し、トラフィック集約部２２５を第１のＷＡＮバックホール接続２１１に通信可能にインターフェースするための第２の接続を使用している。このような実施形態では、データ集約部２３１は、第１の接続からのトラフィック及び第２の接続からのトラフィックを集約されたトラフィックに結合する。
【００９０】
一実施形態では、データ集約解除部２３６は、第１のＷＡＮバックホール接続２１１と通信可能にインターフェースされており、第２のＷＡＮバックホール接続２１２と通信可能にインターフェースされている。このような実施形態では、データ集約解除部２３６は、トラフィックを第１の接続集及び第２の接続に集約解除トラフィックとして集約解除する。
【００９１】
図３（ａ）は、実施形態が動作できる別の典型的なアーキテクチャ３００を示している。要素３０５Ａにおける第１のワイドエリアネットワーク（ＷＡＮ）及び３０５Ｂにおける第２のＷＡＮが描かれている。ＷＡＮ３０５Ａは、ＷＡＮのバックホール接続３１１を介してローカルエリアネットワーク（ＬＡＮ）３１０Ａに接続され、及びＷＡＮ３０５Ｂは、ＷＡＮバックホール接続３１２を経由してＬＡＮ３１０Ｂに接続されている。
【００９２】
一実施形態では、このようなアーキテクチャ３００やシステムは、第１のＬＡＮ３１０Ａを確立するための最初のローカルエリアネットワーク（ＬＡＮ）アクセスデバイス３２０Ａ、及び第１のＬＡＮ３１０Ａから動作上別個の第２のＬＡＮ３１０Ｂを確立するための第２のＬＡＮアクセスデバイス３２０Ｂが含んでいる。この実施例では、第１のワイドエリアネットワーク（ＷＡＮ）バックホール接続３１１は、ＷＡＮ接続を備えた第１のＬＡＮアクセスデバイス３２０Ａを提供し、第２のＷＡＮバックホール接続３１２は、ＷＡＮ接続を備えた第２のＬＡＮアクセスデバイス３２０Ｂを提供し、第１のＷＡＮバックホール接続３１１と第２のＷＡＮバックホール接続３１２の各々は、物理的に別個である。この実施形態は、第１のＬＡＮアクセスデバイス３１０Ａ、第２のＬＡＮアクセスデバイス３１０、第１のＷＡＮバックホール接続３１１、及び第２のＷＡＮバックホール接続３１２の各々と通信可能にインターフェースする管理デバイス３２５をさらに含む。このような実施形態では、管理デバイス３２５は、障害イベントに応答して、第１のＬＡＮ３１０Ａに関連するトラフィックを第２のＷＡＮバックホール接続３１２に再ルーティングするか、又は第２のＬＡＮ３１０Ｂに関連するトラフィックを第１のＷＡＮバックホール接続３１１に再ルーティングする。
【００９３】
図３Ｂは、実施形態が動作できる代替的なアーキテクチャ３０１を示している。一実施形態によれば、管理デバイス３２５は、第１のＬＡＮアクセスデバイス３２０Ａ内に実装され、第１のＬＡＮアクセスデバイスの内部通信バスを介して（例えば、内部回路を介して）、ＬＡＮアクセスデバイス３２０Ａに通信可能にインターフェースされる。このような実施形態では、管理デバイス３２５は、第２のＬＡＮアクセスデバイス３２０Ｂ、第１のＷＡＮバックホール接続３１１、及び第１のＬＡＮアクセスデバイス３２０Ａへの外部の一つ以上の通信経路３５０を介して第２のＷＡＮバックホール接続３１２の各々と通信可能にインターフェースされる。
【００９４】
図３Ｃは、実施形態が動作できる別の典型的なアーキテクチャ３０２を示している。一実施形態によれば、管理デバイス３２５は、第１のＷＡＮアクセスデバイスの内部通信バスを介して（例えば、内部回路を介して）、第１のＷＡＮバックホール接続３１１に通信可能に結合されたＷＡＮアクセスデバイス３３５Ａ内に実装される。このような実施形態では、管理デバイス３２５は、第１のＬＡＮアクセスデバイス３２０Ａ、第２のＬＡＮアクセスデバイス３２０Ｂ、及び第１のＷＡＮアクセスデバイス３３５Ａの外部の一つ以上の通信経路３５０を介した第２のＷＡＮバックホール接続３１２のそれぞれと通信可能にインターフェースされる。
【００９５】
図３Ｄは、実施形態が動作できる代替的なアーキテクチャ３０３を示している。一実施形態によれば、管理デバイス３２５は、第１のＷＡＮバックホール接続３１１に通信可能に結合された第１のＷＡＮアクセスデバイス３３５Ａの外部に分離した物理的に別個のデバイスとして、第２のＷＡＮバックホール接続３１２に通信可能に結合された第２のＷＡＮアクセスデバイス３３５Ｂの外部に分離した物理的に別個のデバイスとして、第１のＬＡＮアクセスデバイス３２０Ａから外部に分離した物理的に別個のデバイスとして、及び第２のＬＡＮアクセスデバイス３２０Ｂの外部に分離した物理的に別個のデバイスとして実装される。このような実施形態では、管理デバイス３２５は、第１のＷＡＮアクセスデバイス３３５Ａ、第２のＷＡＮアクセスデバイス３３５Ｂ、第１のＬＡＮアクセスデバイス３２０Ａ、及び第２のＬＡＮアクセスデバイス３２０Ｂの各々と、管理デバイス３２５の外部に分離した物理的に別個の実装への外部への一つ以上の通信経路３５０を介して通信可能にインターフェースされる。
【００９６】
図３Ｅは、実施形態が動作できる別の典型的なアーキテクチャ３０４を示している。一実施形態によれば、そのようなアーキテクチャは、システム３０４又は前記第１のＬＡＮアクセスデバイス３２０Ａ及び第２のＬＡＮアクセスデバイス３２０Ｂの各々から外部に分離した物理的に別個に動作するトラフィック集約部３４５を備える。このような実施形態では、トラフィック集約部３４５は、第１のＷＡＮバックホール３１１と第２のＷＡＮバックホール３１２上に論理的に結合したＷＡＮインターフェース３１３を形成する。この実施形態によれば、管理デバイス３２５は、トラフィック集約部３４５内に実装され、及び、トラフィック集約部３４５の外部の一つ以上の通信経路３５０を介して、第１のＬＡＮアクセスデバイス３２０Ａ、第２のＬＡＮアクセスデバイス３２０Ｂ、第１のＷＡＮバックホール接続３１１、及び第２のＷＡＮバックホール接続３１２の各々と通信可能にインターフェースされる。
【００９７】
様々な実施形態のいくつかによると、トラフィック集約部３４５又は管理デバイス３２５は、同期光ネットワーク（ＳＯＮＥＴ）又は同期デジタルハイアラーキ（ＳＤＨ）の多重化プロトコルに従って動作する。一実施形態では、トラフィック集約部３４５又は管理デバイス３２５は障害イベントに応答して、ＳＯＮＥＴ又はＳＤＨ互換性のある迅速な再ルーティング機能を実行することによってトラフィックを再ルーティングする。一つにおいて、トラフィック集約部３４５又は管理デバイス３２５は、障害イベントに応じて、イーサネット復元パケットリング（ＲＰＲ）の実装を経由してトラフィックを再ルーティングした。
【００９８】
一実施形態では、管理デバイス３４５は、障害イベントに応答して、次のイベントの１つ以上を制定することによりトラフィックを再ルーティングする：（ａ）対応する第１又は第２のＷＡＮバックホール接続３１１又は３１２を有する第１のＬＡＮアクセスデバイス３２０Ａと第２のＬＡＮアクセスデバイス３２０Ｂの一つの接続の完全な喪失によって特徴付けられるハード障害イベントに応答して第１のトラフィックを再ルーティングする動作を行う；又は、（ｂ）対応する第１又は第２のＷＡＮバックホール接続３１１又は３１２を有する第１のＬＡＮアクセスデバイス３２０Ａ及び第２のＬＡＮアクセスデバイス３２０Ｂのうちの一つに対する閾値によって決定されるように劣化接続することを特徴とするソフト障害イベントに応答して第２のトラフィックの再ルーティング動作を行う。このような実施形態では、第１のトラフィックの再ルーティング動作は、第２のトラフィックを再ルーティングする動作と異なっていてもよい。
【００９９】
図４Ａは、実施形態が動作できる別の典型的なアーキテクチャ４００を示している。要素４０５Ａにおける第１のワイドエリアネットワーク（ＷＡＮ）及び４０５Ｂにおける第２のＷＡＮが描かれている。ＷＡＮ４０５Ａはローカルエリアネットワーク（ＬＡＮ）４１０Ａを介してＷＡＮバックホール接続４１１に接続され、ＷＡＮ４０５ＢはＬＡＮ４１０Ｂを経由してＷＡＮバックホール接続４１２に接続されている。
【０１００】
一つの態様によれば、このようなアーキテクチャ４００又はシステムは、第１のＬＡＮ４１０Ａを確立するための第１のローカルエリアネットワーク（ＬＡＮ）アクセスデバイス４２０Ａ、及び第１のＬＡＮ４１０Ａとは動作上の別個の第２のＬＡＮ４１０Ｂを確立するための第２のＬＡＮアクセスデバイス４２０Ｂを備える。このような実施形態では、第１の広域ネットワーク（ＷＡＮ）バックホール接続４１１はＷＡＮ接続を有する第１のＬＡＮアクセスデバイス４２０Ａを提供し、第２のＷＡＮバックホール接続４１２ＷＡＮ接続を備えた第２のＬＡＮアクセスデバイス４２０Ｂを提供し、第１のＷＡＮバックホール接続４１１及び第２のＷＡＮバックホール接続４１２の各々は物理的に別個である。この実施形態では、管理デバイス４２５は、第１のＬＡＮアクセスデバイス４２０Ａ、第２のＬＡＮアクセスデバイス４２０Ｂ、第１のＷＡＮバックホール接続４１１、及び第２のＷＡＮバックホール接続４１２の各々と通信可能にインターフェースされる。この実施形態では、管理デバイス４２５は第１のＷＡＮバックホール接続４１１を介し第１のＬＡＮ４１０Ａからのトラフィックの第１の部分４９８をルーティングし、管理デバイス４２５はさらに第２のＷＡＮバックホール接続４１２を介して第１のＬＡＮ４１０Ａからのトラフィックの第２の部分４９９をルーティングする。
【０１０１】
一実施形態では、管理デバイス４２５は第１のＷＡＮバックホール接続４１１上の第１の部分４９８のトラフィックのルーティングし、第１のＬＡＮ４１０Ａのロードバランシングを実現するために第２のＷＡＮバックホール接続４１２を介してトラフィックの第２の部分４９９をさらにルーティングする。
【０１０２】
一実施形態では、管理デバイス４２５は、第２のＷＡＮバックホール接続４１２を介して第２のＬＡＮ４１０Ｂに由来するトラフィックの第１の部分４４４をルーティングすることにより、さらに第１のＷＡＮバックホール接続４１１を介して第２のＬＡＮ４１０Ｂからのトラフィックの第２の部分４４５をルーティングすることにより、第２のＬＡＮ４１０Ｂのロードバランシングを実施する。管理デバイス４２５は、管理デバイスがＬＡＮアクセスデバイス４２０Ａ又は４２０Ｂの内部にあるかどうかに関係なく第１及び／又は第２のＬＡＮのそれぞれのロードバランシングを実施する。
【０１０３】
一実施形態では、ロードバランシングを実施する管理デバイス４２５は、第１及び第２のＷＡＮバックホール上にトラフィック４９８及び４９９それぞれのどの部分をルーティングするか決定することを含むが、これは、第１及び第２のＷＡＮバックホールの帯域幅容量のような要因に基づき、あるいは第１及び第２の加入者が選択した支払いオプションなどの他の要因に基づき、又はそれらのインターネットサービスプロバイダによって課される条件に基づき、ＬＡＮアクセスデバイスの各々に関連するノードの数に基づき、ノードのそれぞれのトラフィックパターン、セキュリティオプション、又はＬＡＮアクセスデバイスの能力及び容量等に基づいている。
【０１０４】
一実施形態では、トラフィック部分４９８は制御及び管理トラフィックを含み、トラフィック部分４９９はトラフィック部分４９８に対応するトラフィックのペイロード部分を含む。このような実施形態では、管理デバイス４２５は、第２のＷＡＮバックホール接続４１２を介して第１のＷＡＮバックホール接続４１１、さらにルート上のトラフィックの第２の部分４９９のトラフィックの第１の部分４９８をルーティングすることにより、第１のＬＡＮ４１０Ａのロードバランシングを実施し、さらに第２のＷＡＮバックホール接続４１２上の第２の部分のトラフィック４９９をルーティングする。このような方法で、ペイロードと制御トラフィック部分を分離するか、分割すると、オーバーヘッドが原因で制御及び管理トラフィックに起因する減少する。例えば、ＩＥＥＥ８０２．１１ｎＬＡＮアクセスデバイスがＩＥＥＥ８０２．１１ｂで動作するレガシーステーションの存在下で動作している場合、ＲＴＳ／ＣＴＳ及びＡＣＫなどのフレームを制御することによるかなりのオーバーヘッドが存在する。このようなイベントでは、第２のＷＡＮバックホールを介してすべての制御トラフィックをルーティングすることは、オーバーヘッド削減し、スループットを向上させる。
【０１０５】
図４Ｂは、実施形態が動作できる別の典型的なアーキテクチャ４０１を示している。一実施形態によれば、第１のＬＡＮアクセスデバイスは、第ＷＡＮバックホール接続４１１の第２の転送速度よりも大きい第１のＬＡＮ４１０Ａの第１の転送速度を有する無線ＬＡＮアクセスデバイス４２１であり、第１のＷＡＮバックホール接続４１１の第２の転送速度は、第１のＷＡＮバックホール接続４１１に向かう無線ＬＡＮアクセスデバイス４２１に由来するトラフィック（例えば、第１及び第２の部分４９８及び４９９）のボトルネックの結果となる（例えば、原因となる）。一実施形態では、管理デバイス４２５は、第１のＷＡＮバックホール接続４１１の第２の転送レートよりも低い転送速度で第１のＷＡＮバックホール接続４１１を介してトラフィックの第１の部分４９８をルーティングすることによって、さらに、第２のＷＡＮバックホール接続４１２を介してトラフィック４９９の第２の部分をルーティングすることにより、第１のＬＡＮ４１０Ａのロードバランシングを実施するが、トラフィックの第２の部分４９９は第１のＬＡＮ４１０Ａに由来するトラフィックの残りの部分である。
【０１０６】
一実施形態では、管理デバイス４２５は、無線ＬＡＮアクセスデバイス４２１により第１のＬＡＮ４１０Ａに提供されるＷＡＮ接続の集約転送速度を実施することにより、及び第２のＬＡＮ４１０Ｂに与えられるＷＡＮ接続の集約転送速度を実施することにより、第１のＬＡＮ４１０Ａのロードバランシングを実施するが、ＷＡＮ接続の集約転送速度は第１のＷＡＮバックホール接続４１１の第２の転送速度よりも大きい。例えば、第１及び第２のＷＡＮバックホール接続４１１及び４１２の両方を利用することにより、ＷＡＮ接続の集約転送速度は、それぞれの単一のＷＡＮリンクバックホール接続（例えば、４１１又は４１２のいずれか、両方ではない）のみを使用することから他の方法で達成するよりも大きいＬＡＮ４１０Ａ−Ｂのために実現することができる。別の実施例では、管理デバイス４２５は、最も負荷の軽いＷＡＮ接続に入ってくるフローを割り当てることによって、第１のＬＡＮ４１０Ａのロードバランシングを実施している。例えば、管理デバイス４２５は、新たなＶｏＩＰ接続又はインターネットＴＶストリームのような新しい入力フローを最も負荷の軽いＷＡＮ接続に割り当て、ルーティングし、又はそうでなければ配置してもよい。
【０１０７】
一実施形態では、管理デバイス４２５は、第１のＷＡＮバックホール接続４１１上の第１の部分４９８のトラフィックをルーティングし、第２のＷＡＮバックホール接続４１２に関連付けられている帯域幅の一部を第１のＬＡＮアクセスデバイス（例えば、図４Ａからの４２０又は図４Ｂの無線ＬＡＮアクセスデバイス４２１）に割り当てることによって第２のＷＡＮバックホール接続４１２にトラフィックの第２の部分４９９をさらにルーティングするが、割り当ては第１のＬＡＮアクセスデバイス（４２０Ａ又は４２１）に関連付けられた有料加入者層やサービスレベルの階層に基づいている。サービスプロバイダからサービスにサインアップするときに、例えば、有料加入者層又はサービスレベル階層がユーザによって選択されてもよい。ユーザは、単一のＷＡＮリンクバックホール接続４１１又は４１２を使用して他の方法で達成可能であるよりもより高い集約転送速度を可能にするために増額された加入料を支払うことを選択することができる。あるいは、ユーザは、他のユーザが自分の未使用のＷＡＮ帯域幅へのアクセスできるようにするために助成された加入料を取得する可能性がある。
【０１０８】
図４Ｃは、実施形態が動作できる別の典型的なアーキテクチャ４０２を示している。一実施形態によれば、アーキテクチャ４０２又はシステムは、第１のＬＡＮアクセスデバイスとして動作する第１の無線ＬＡＮアクセスデバイス４２１と第２のＬＡＮアクセスデバイスとして動作する第２の無線ＬＡＮアクセスデバイス４２３との間の無線通信リンク４２２をさらに含む。このような実施形態では、管理デバイス４２５は、無線ＬＡＮアクセスデバイス４２１に、第１の無線ＬＡＮアクセスデバイス４２１から第２の無線ＬＡＮアクセスデバイス４２３への無線通信リンク４２２上に及びＷＡＮバックホール接続４１２にトラフィックの第２の部分４９９をルーティングするか切り替えるように指示する。
【０１０９】
一実施形態では、第２のＬＡＮアクセスデバイス４２３は、第１の無線ＬＡＮアクセスデバイス４２１とは別個の無線ＬＡＮアクセスデバイスとして動作することができる。通信リンク４２２は、無線ＬＡＮアクセスデバイス４２１として動作する第１のＬＡＮアクセスデバイスと第２の無線ＬＡＮアクセスデバイス４２３として動作する第２のＬＡＮアクセスデバイスとの間の無線通信リンクであってもよい。
【０１１０】
一実施形態によれば、第１のＷＡＮバックホール接続４１１は、データ接続、音声接続、ビデオ接続、及びモバイルデバイスの接続の一つ以上を複数の加入者に提供するサービスプロバイダへの第１のＷＡＮバックホール接続４１１を介したＷＡＮ接続を備える第１のＬＡＮアクセスデバイス（例えば、図４Ａの４２０Ａ、又は図４Ｃの４２）を提供する。この実施形態では、第２のＷＡＮバックホール接続４１２は、同じサービスプロバイダへの物理的に別個の通信リンクを介した同一のサービスプロバイダへの第２のＷＡＮバックホール接続４１２を介したＷＡＮ接続を備える第２のＬＡＮアクセスデバイス（例えば、図４Ａの４２０Ｂに、又は図４Ｃの４２３）を提供する。
【０１１１】
一実施形態では、第１のＷＡＮバックホール接続４１１は、データ接続、音声接続、ビデオ接続、及びモバイルデバイス接続の一つ以上を複数の加入者に提供する第１サービスプロバイダへの第１のＷＡＮバックホール接続４１１を介するＷＡＮ接続を備える第１のＬＡＮアクセスデバイス（４２０Ａ又は４２１）を提供し、この実施形態では、第２のＷＡＮバックホール接続４１２は、第１のサービス提供者から分離した別個の第２のサービスプロバイダへの第２のＷＡＮバックホール接続４１２を介したＷＡＮ接続を有する第２のＬＡＮアクセスデバイス（４２０Ｂ又は４２３）を提供する。
【０１１２】
図４Ｄは、実施形態が動作することができる別の例示的なアーキテクチャ４０３を示す。一実施形態によれば、アーキテクチャ４０３又はシステムは、第１のＷＡＮバックホール接続４１１についての第１の情報セット４７０Ａを収集する管理デバイス４２５をさらに含み；第１のＬＡＮ４１０Ａについての第２の情報セット４７０Ｂを収集する管理デバイス４２５をさらに含み；第２のＷＡＮバックホール接続４１２についての第３の情報セット４７０Ｃを収集する管理デバイス４２５をさらに含み；及び第２のＬＡＮ４１０Ｂについての第４の情報セット４７０Ｄを収集する管理デバイス４２５をさらに含む。このような実施形態では、管理デバイス４２５は、収集された第１、第２、第３、及び第４の情報セット４７０Ａ−Ｄの各々からの少なくとも一部を一緒に分析し、一緒に分析した収集した情報セット４７０Ａ−Ｄに基づいて、第１及び第２のＷＡＮバックホール接続４１１−４１２に影響を及ぼし、さらに第１及び第２のＬＡＮ４１０Ａ−Ｂに影響を与える動作条件４７１をさらに識別する。このような実施形態によれば、管理デバイス４２５は、識別される動作条件４７１に応答して管理イベント４７２を開始する。
【０１１３】
一実施形態では、特定されている動作条件７１に応じて、管理イベント４７２を開始する管理デバイス４２５は、次の一つ以上に構成変更を指定する命令を生成する構成である：無線ベースのＬＡＮ第１のアクセスデバイス４２０Ａ又は無線ベースの第２のＬＡＮアクセスデバイス４２０Ｂ、又はその両方に関連するチャネル割り当てのための構成変更；無線ベースの第１のＬＡＮアクセスデバイス４２０Ａ又は無線ベースの第２のＬＡＮアクセスデバイス４２０Ｂ、又はその両方に関連した信号のための電力割り当て方式への設定変更；無線ベースの第１のＬＡＮアクセスデバイス４２０Ａ又は無線ベースの第２のＬＡＮアクセスデバイス４２０Ｂ、又はその両方に関連するＡＰ（アクセスポイント）接続へのＳＴＡ（局）の構成変更；無線ＬＡＮベースの第１のアクセスデバイス４２０Ａ又は無線ベースの第２のＬＡＮアクセスデバイス４２０Ｂ、又はその両方に関連付けられたビーコン電力特性への設定変更；無線ベースの第１のＬＡＮアクセスデバイス４２０Ａ又は無線ベースの第２のＬＡＮアクセスデバイス４２０Ｂ、又はその両方に関連付けられたビーコン間隔への設定変更；無線ベースの第１のＬＡＮアクセスデバイス４２０Ａ又はＬＡＮ無線ベースの第２のアクセスデバイス４２０Ｂ、又はその両方に関連した伝送速度への構成変更；無線ベースの第１のＬＡＮアクセスデバイス４２０Ａ又は無線ベース第２のＬＡＮアクセスデバイス４２０Ｂ、又は両方のビーム形成特性への設定変更；無線ベースの第１のＬＡＮアクセスデバイス４２０Ａ又は無線ベースの第２のＬＡＮアクセスデバイス４２０Ｂ、あるいはその両方に関連する送信要求／送信クリア（ＲＴＳ／ＣＴＳ）設定への構成変更；無線ベースの第１のＬＡＮアクセスデバイス４２０Ａ又は無線ベースの第２のＬＡＮアクセスデバイス４２０Ｂ、又はその両方の断片化構成への構成変更；無線ベース第１のＬＡＮアクセスデバイス４２０Ａ又は無線ベースの第２のＬＡＮアクセスデバイス４２０Ｂ、あるいはその両方の無線モード（例えば、ＩＥＥＥ８０２．１１ａ／ｂ／ｇ／ｎ）構成への構成変更；無線ベース第１のＬＡＮアクセスデバイス４２０Ａ又は無線ベースの第２のＬＡＮアクセスデバイス４２０Ｂ、又は両方（例えば、ＩＥＥＥ８０２．１でのチャネルボンディング）によって利用される帯域幅への構成変更；無線ベースの第１のＬＡＮアクセスデバイス４２０Ａ又は無線ベースの第２のＬＡＮアクセスデバイス４２０Ｂ、又はその両方からのトラフィックのフレーム集約への構成変更；無線ベースの第１のＬＡＮアクセスデバイス４２０Ａ又は無線ベースの第２のＬＡＮアクセスデバイス４２０Ｂ、又はその両方の間隔を保護する構成変更；無線ベースの第１のＬＡＮアクセスデバイス４２０Ａ又は無線ベースの第２のＬＡＮアクセスデバイス４２０Ｂ、又は両方のアンテナアレイ構成への構成変更；無線ベースの第１のＬＡＮアクセスデバイス４２０Ａ又は無線ベースの第２のＬＡＮアクセスデバイス４２０Ｂ、又は両方で使用されるプリアンブル長への構成変更；無線ベースの第１のＬＡＮアクセスデバイス４２０Ａ又は無線ベースの第２のＬＡＮアクセスデバイス４２０Ｂ、又は両方のハンドオフ技術への構成変更；無線ベースの第１のＬＡＮアクセスデバイス４２０Ａ又は無線ベースの第２のＬＡＮアクセスデバイス４２０Ｂ、又は両方の省電力モードへの設定変更；及び、無線ベースの第１のＬＡＮアクセスデバイス４２０Ａ又は無線ベースの第２のＬＡＮアクセスデバイス４２０Ｂ、又は両方の再送信試行の最大数への設定変更。
【０１１４】
この構成に関与する無線ベースのＬＡＮアクセスデバイスは無線ベースのＬＡＮアクセスデバイスがすでに利用可能な広いセットから選択することができる。このようなＬＡＮアクセスデバイスは、高スループットをサポートすることができる。一実施形態では、これらのＬＡＮアクセスデバイスの選択は、受信信号強度インジケータ（ＲＳＳＩ）、無線ビットレート、チャネル使用、既存のトラフィック負荷、全体的な達成可能なスループット、他の同様のパフォーマンス指標、又は利用可能なスループットを推定するためにこのような指標の組み合わせを使用することの一つ以上に基づいている。
【０１１５】
一実施形態では、管理イベント４７２は第１のＷＡＮバックホール接続４１１との動作上の問題（例えば、識別された運転条件４７１のような）を示す合同の分析に応答して、第１のＬＡＮアクセスデバイス４２０Ａ及び第２のＬＡＮアクセスデバイス４２０Ｂとの間の直接通信リンク４７６を確立するための命令４７８を送信することを含む管理イベントのグループ４７２から選択される。例えば、動作上の問題は、識別された運転状態４７１に由来してもよいし、対応してもよい。
【０１１６】
図４Ｅは、実施形態が動作することができる別の例示的なアーキテクチャ４０４を示す。一実施形態によれば、管理イベント４７２は、第１のＬＡＮアクセスデバイス４１０Ａとの動作上の問題を示す合同の分析に応答して、第１のＬＡＮ４１０Ａ内で動作するノード４７７、及び第２のＬＡＮアクセスデバイス４２０Ｂとの間の直接通信リンク４７６を確立するための命令４７８を送信することを含む管理イベント４７２のグループから選択される。例えば、運転状態４７１が確認されたことに応答する。命令４７８は、管理イベント４７２に由来してもよいし、対応してもよい。開示された実施形態によれば、ノード４７７は、無線ノード、モバイルノード、又はＬＡＮデバイスノードの一つとして実装されてもよい。
【０１１７】
種々の実施形態のいくつかによれば、管理デバイス４２５は、第１のＬＡＮ４１０Ａの時間にわたる帯域幅使用及び第２のＬＡＮ４１０Ｂの時間に亘る帯域幅使用を分析することによって、収集された情報セット４７０Ａ−Ｄを合同で分析し、及び、動作条件４７１として、第１のＬＡＮ４１０Ａと第２のＬＡＮ４１０Ｂとの間のトラフィック不均衡を検出する。このような実施形態では、管理イベント４７２の開始は、第２のＬＡＮアクセスデバイス４２０Ａへの第１のＷＡＮバックホール接続４１１に関連付けられている未使用の帯域幅を割り当てる管理デバイス４２５を構成し、又は、第１のＬＡＮ４１０Ａと第２のＬＡＮ４１０Ｂとの間の識別されたトラフィック不均衡に基づいて、第１のＬＡＮアクセスデバイス４２０Ａへの第２のＷＡＮバックホール接続４１２に関連した未使用の帯域幅の割り当てを構成する。
【０１１８】
一実施形態では、管理イベント４７２を開始することは、ＬＡＮアクセスデバイスが日又は週の特定の時点で未使用の帯域幅を有するかどうかを決定する管理デバイス４２５を構成する。このような実施形態では、第２のＬＡＮデバイスの帯域幅を利用する代わりに又は加えて、複数のＳＳＩＤは、日又は週の所定の時間の間、又は他の何らかの指定された時間の間、パブリック又はプライベート使用のために未使用の帯域幅を開くために使用することができる。
【０１１９】
種々の実施形態のいくつかによれば、第１のＬＡＮ４１０Ａについて第２の情報セット４７０Ｂ及び第２のＬＡＮ４１０Ｂについての第４の情報セット４７０Ｄのそれぞれは、第１及び第２のＬＡＮ４１０Ａ−Ｂの第１通信レイヤに固有の情報を含み、及び、第１のＷＡＮバックホール接続４１１についての第１の情報セット４７０Ａ及び第２のＷＡＮバックホール接続４１２についての第３の情報セット４７０Ｃは、第１及び第２のＬＡＮ４１０Ａ−Ｂの第１の通信レイヤとは異なる、第１及び第２のＷＡＮバックホール接続の４１１−４１２の第２の通信レイヤに固有の情報を含む。
【０１２０】
図４Ｆは、実施形態が動作することができる別の例示的なアーキテクチャ４０６を示す。一実施形態によれば、第１のＬＡＮ４１０Ａについての第２の情報セット４７０Ｂ及び第２のＬＡＮ４１０Ｂについての第４の情報セット４７０Ｄのそれぞれは、管理デバイス４２５と共有の地理的領域４６９内の他の複数箇所に設けられたインターネット接続に関連する近傍分析を含む。このような実施形態では、動作条件４７１が識別されたことに応答して管理イベント４７２を開始する管理デバイス４２５は、第１のＷＡＮバックホール接続４１１の構成を変更する命令４７９を生成する構成であるか、又は、第２のＷＡＮバックホール接続４１２の構成を変更する命令４７９を生成するか、又は、近傍分析に基づいて、その両方である。
【０１２１】
一実施形態によれば、第ＷＡＮ４１０Ａについての第１の情報セット４７０Ａ及び第２のＷＡＮ４１０Ｂについての第３の情報セット４７０Ｃの各々は、管理デバイスと共有の地理的領域４６９内の他の複数箇所に設けられたインターネット接続に関連する近傍分析を含み、及び動作条件４７１が識別されたことに応答して管理イベント４７２を開始する管理デバイス４２５は、第１のＬＡＮアクセスデバイス４２０Ａ又は第２のＬＡＮアクセスデバイス４２０Ｂの構成、あるいはその両方を、近傍分析に基づいて変更する命令４７９を生成する管理デバイス４２５構成する。近傍分析及び、４Ｆから図４に描かれた様々な情報セット４７０Ａ−Ｄは、図４Ａから４Ｅに関連して描かれ、記載された例示的な実施形態の全てを含み、本明細書に記載の実施形態を開示した他の設定に関連して利用され得る。
【０１２２】
一実施形態では、動作条件４７１が識別されたことに応じて管理イベント４７２を開始する管理デバイス４２５は、識別された運転条件４７１を変更する命令４７９を生成する管理デバイス４２５を構成し、管理デバイス４２５は、ネットワーク要素４６６、ＷＡＮデバイス４６８、及び／又は管理デバイスと通信可能にインターフェースされたＬＡＮデバイス４６７の一つ以上に生成された命令４７９の通信し、さらに、生成された命令４７９は、次のものを含むプロトコルのグループから選択されたプロトコルを介して通信される：ＴＲ−０６９（技報０６９）対応の通信プロトコル；伝送制御プロトコル／インターネットプロトコル（ＴＣＰ／ＩＰ）通信プロトコル；簡易ネットワーク管理プロトコル（ＳＮＭＰ）の通信プロトコル。アウトオブバンド電話回線プロトコル；デジタル加入者回線組み込みオペレーションチャネル（ＤＳＬ  ＥＯＣ）通信プロトコル；ケーブル制御チャネル通信プロトコル；電力線制御チャネル通信プロトコル；コマンドラインインタフェース（ＣＬＩ）プロトコル；及びトランザクション言語１（ＴＬ１）通信プロトコル。
【０１２３】
一実施形態によれば、第１のＷＡＮバックホール接続４１１及び第２のＷＡＮバックホール接続４１２は、それぞれ次のいずれかを介して管理デバイス４２５と通信可能にインターフェースしている：無線ネットワーク接続；有線ネットワーク接続；デジタル加入者線（ＤＳＬ）ネットワーク接続；電力線ネットワーク接続；パッシブ光ネットワーク（ＰＯＮ）ベースのネットワーク接続；ネットワーク接続に基づいて、光ファイバ；及びケーブルベースのネットワーク接続。
【０１２４】
一実施形態では、管理デバイス４２５は、次のいずれかである：第１のＷＡＮバックホール接続４１１を介して第１のＬＡＮ４１０Ａに提供されたＤＳＬベースのバックホールと通信可能にインターフェースする顧客宅内機器（ＣＰＥ）デバイスとして動作するデジタル加入者線（ＤＳＬ）モデム；第１のＷＡＮバックホール接続４１１を介して第１のＬＡＮ４１０Ａに提供されたケーブルネットワークのバックホールと通信可能にインターフェースするように動作するケーブルモデム；第１のＷＡＮバックホール接続４１１を介して第１のＬＡＮ４１０Ａに提供される無線ベースのバックホールと通信可能もインターフェースするように動作する無線モデム；第１のＷＡＮバックホール接続４１１を介して第１のＬＡＮ４１０Ａに提供される電源ラインベースのバックホールと通信可能にインターフェースするように動作する電力線モデム；第１のＷＡＮバックホール接続４１１を介して第１のＬＡＮ４１０Ａに提供される光ファイバベースのバックホールと通信可能にインターフェースするように動作する光ネットワーク端末（ＯＮＴ）；第１のＬＡＮ４１０Ａへの第１のＷＡＮバックホール接続４１１と通信可能にインターフェースするように動作するルータ；第１のＬＡＮ４１０Ａへの第１のＷＡＮバックホール接続４１１と通信可能にインターフェースするように動作するゲートウェイ；及び、第１のＷＡＮバックホール接続４１１と第１のＬＡＮ４１０Ａに関連する通信チャネを介して接続されたＷＡＮ／ＬＡＮインターフェースから遠隔配置されたコンピューティングデバイスであって、ＷＡＮ／ＬＡＮインターフェースの遠隔監視及び管理機能を提供するコンピューティングデバイス。
【０１２５】
様々な実施形態によれば、第１、第２、第３、及び第４の情報セット４７０Ａ−Ｄを収集する管理デバイス４２５は、次のものを含む情報源のグループから選択された情報セットから情報セット４７０Ａ−Ｄの各々を収集する管理デバイス４２５を構成する：デジタル加入者線（ＤＳＬ）顧客宅内機器（ＣＰＥ）モデム；家庭内の電力線デバイス；ホーム電話回線ネットワークアライアンス（ＨＰＮＡ）ベースのデバイス；家庭内同軸分配デバイス；Ｇ．ｈｎ互換性のあるデバイス；宅内計量通信デバイス；通信可能ＬＡＮとインターフェースの家庭電化製品；無線フェムトセル基地局；無線対応基地局；無線移動機リピータ；無線移動機、基地局；セットトップボックス（ＳＴＢ）／セットトップユニット（ＳＴＵ）顧客用電子機器；インターネットプロトコル（ＩＰ）は、テレビジョン有効；ＩＰ対応メディアプレーヤー；ＩＰ対応ゲームコンソール；イーサネットゲートウェイ；ＬＡＮに接続された計算デバイス；イーサネット接続されたコンピュータ周辺機器；イーサネット接続されたルータ；イーサネット接続された無線ブリッジ；イーサネットに接続されたネットワークブリッジ；及びイーサネット接続されたネットワークスイッチ。
【０１２６】
様々な実施形態によれば、第１のＷＡＮバックホール接続４１１と第２のＷＡＮバックホール接続４１２次のものを含むＷＡＮバックホール接続４１１及び４１２のグループから選択される：ブロードバンド接続；ＤＳＬ接続；ケーブル接続；フェムトセルの接続；モバイル接続；ファイバ接続；無線接続；及び、電力線（ＢＰＬ）接続を介したアクセスブロードバンド。
【０１２７】
一実施形態では、第１のＬＡＮ４１０Ａ及び第２のＬＡＮ４１０Ｂの各々は、複数の相互接続されたＬＡＮ２３８ノードを含む。このような実施形態では、複数の相互接続されたＬＡＮノード２３８の各々は、次の少なくとも一つを介して通信する：イーサネットベースのネットワーク接続；無線ベースのネットワーク接続；米国電気電子技術者協会（ＩＥＥＥ）８０２．１１規格ベースのネットワーク接続；６０ＧＨｚでの８０２．１１ａ、８０２．１１ｂ、８０２．１１ｇ、８０２．１１ａｄ及び／又は８０２．１１ｎ無線互換性のあるネットワーク接続；第３世代（３Ｇ）互換プロトコル、第４世代（４Ｇ）互換プロトコル、及びロングタームエボリューション（ＬＴＥ）互換プロトコルのうちの少なくとも一つを含む移動セルラー互換性のあるプロトコルを介して送信するフェムトネットワーク接続；電力線の接続；電話システム接続；一般電話サービス（ＰＯＴＳ）接続；Ｇ．ｈｎ（ＩＴＵ−Ｔの標準化、統一、高速ワイヤラインベースのホームネットワーク）接続；及び、同軸ケーブルの接続。
【０１２８】
一実施形態では、第１のＬＡＮアクセスデバイス４２０Ａ及び第２のＬＡＮアクセスデバイス４２０Ｂの各々は、次のものを含むデバイスのグループから選択される：基地局；アクセスポイント；モデム；ルータ；ゲートウェイ；デジタル加入者線（ＤＳＬ）顧客宅内機器（ＣＰＥ）モデム；家庭内の電力線デバイスと、ホーム電話回線ネットワークアライアンス（ＨＰＮＡ）ベースのデバイス；家庭内同軸分配デバイス；Ｇ．ｈｎ互換性のあるデバイス；宅内計量通信デバイス；通信可能ＬＡＮとインターフェースの家庭電化製品；無線フェムトセル基地局；無線対応基地局；無線移動機リピータ；無線移動機、基地局；セットトップボックス（ＳＴＢ）／セットトップユニット（ＳＴＵ）顧客用電子機器；インターネットプロトコル（ＩＰ）は、テレビジョン有効；ＩＰ対応メディアプレーヤー；ＩＰ対応ゲームコンソール；６０ＧＨｚ使用可能なステーション；ＰＡＮ（パーソナルエリアネットワーク）が可能なデバイス；イーサネットゲートウェイ；ＬＡＮに接続された計算デバイス；イーサネット接続されたコンピュータ周辺機器；イーサネット接続されたルータ；イーサネット接続された無線ブリッジ；ネットワークブリッジに接続されたイーサネット；及び、イーサネットに接続されたネットワークスイッチ。
【０１２９】
一実施形態では、第１のＬＡＮ４１０Ａ及び第２のＬＡＮ４１０Ｂの各々は複数の相互接続されたＬＡＮにノード２３８を含み、複数の相互接続されたＬＡＮノード２３８は次のものを含むノードのグループから選択される：ＬＡＮ接続したコンピュータ；ＬＡＮ接続したノートＰＣ；ＬＡＮ接続した携帯電話；ＬＡＮ接続したゲーム機；ＬＡＮ接続した電子計算機；ＬＡＮ接続したＩＰＴＶ；ＬＡＮ接続したストレージデバイス；主に他の用途に適用されるＬＡＮ接続できるデバイスであって、例えば、家庭用照明、警報システム、加熱／冷却及びその他の家電製品など。
【０１３０】
図４Ｇは、実施形態が動作することができる別の例示的なアーキテクチャ４０７を示す。幾つかの実施形態によれば、管理デバイスは、共同分析のために、ＬＡＮ４１０Ａ、４１０Ｂ、４１０Ｃ、４１０Ｄ、４１０Ｅ、及び４１０Ｆから４２５情報を収集するが、管理デバイス４２５との近傍や共有の地理的領域４６９内の複数箇所に設けられたインターネット接続に関連する近傍分析４４０を含む。このような実施形態では、管理イベント４７２を開始することは、収集された近傍分析４４０に基づいて、ＷＡＮデバイスの構成を変更する命令又はコマンドを生成する管理デバイス４２５を含む。代替実施形態では、管理イベント４７２を開始することは、近傍分析４４０に基づいて、ＬＡＮデバイス（例えば、ノード４７７Ａ−Ｃのいずれか）の構成を変更する命令を生成する管理デバイス４２５を含む。
【０１３１】
管理デバイス４２５による合同の分析は、より広範な分析コンテキストを提供するために情報複数ソースを集約することを含む近傍分析を行うことを含んでもよい。例えば、ノード４７７Ａ、４７７Ｂ、及び４７７Ｃは、ＷＡＮ４０５Ａへの共有バックホール４１４を通過するように描かれている。ＷＡＮ４０５Ａは、本明細書に記載されるように実装された管理デバイス４２５を含む。ノード４７７のＡＣすべてに共通又は共有バックホール４１４を通過するので、情報はノードＡ−Ｃの各々及び、それに応じて、ローカルエリアネットワーク４１０Ａ、４１０Ｂ、及び４１０Ｃからそれぞれ取得可能である。情報は、ＷＡＮ４０５Ａ内の管理デバイス４２５によって収集され、ＷＡＮ及びＬＡＮネットワーク及びそれぞれのＷＡＮ及びＬＡＮネットワーク間の通信経路を最適化するために利用することができる。
【０１３２】
たとえば、共有バックホール４１４は、ＤＳＬネットワークを有して存在する可能性があるが、複数のツイストペア線は、共通のＤＳＬバインダを通過し；共有バックホール４１４は複数の同軸ケーブルインターネット顧客を有して存在していてもよく、各人はＷＡＮバックホールの少なくとも一部が実装される単一の同軸ケーブル上でＷＡＮベースのリソースが競合し；共有バックホール４１４は電力線ベースのインターネットサービスプロバイダと存在していてもよく、別個のエンドユーザに関連付けられている複数のＬＡＮの（例えば、４１０Ａ−Ｃ）は同じ物理的な伝送線上のＷＡＮベースのリソースを求めて競合し；共有バックホール４１４は、別個のエンドユーザに関連付けられた複数のＬＡＮ（例えば、４１０Ａ−Ｃ）が同じ無線伝送スペクトル上のＷＡＮベースのリソースを求めて競合する場合に同様に存在していてもよく；共有バックホール４１４は、各々がＷＡＮベースのリソースに競合する光ファイバベースの接続を有して存在してもよく；又は、共有バックホール４１４は、同軸ケーブル、光ファイバ及びツイストペアの組合せとして、上記通信手段の組み合わせを含んでもよい。
【０１３３】
このような実施形態では、管理デバイス４２５は複数の別個のＬＡＮから情報を収集してもよく、動作条件４７１を識別するために複数のＬＡＮから収集された情報を分析してもよい。このような分析は、近傍分析と称されることがある。管理デバイス４２５はその後、報告、診断、監視、又は近傍分析に基づいて管理イベント４７２を介して演算変更を実装する命令を生成してもよい。例えば、管理デバイス４２５は、近傍分析内に表される別のＬＡＮが不活性であるか、又は低活性率（例えば、ＬＡＮ４１０Ｃは十分に活用されていないと判断されてもよい）であるという決定に基づいて、一つのＬＡＮ（例えば、４１０Ａ）への電力とデータレートの伝送増加を含むＷＡＮ／ＬＡＮネットワークの最適化を実施することができる。このような実施形態では、十分に利用されていないＬＡＮ（例えば、実施例で４１０Ｃ）のために送信電力及びデータレートの対応する減少が実施されてもよい。
【０１３４】
別の実施形態では、近傍分析は、共有バックホール４１４による複数の別個のＬＡＮ４１０Ａ−Ｃから取り出されるＬＡＮ情報の分析に基づいて、容量を超えた需要負荷により飽和していることを示すことができるが、その場合管理デバイス４２５は、それに応答して、各ＬＡＮ４１０Ａ−Ｃのそれぞれを単一で共有するバックホール４１４にインターフェースするＷＡＮ／ＬＡＮインターフェース（例えば、ＤＳＬモデム、ケーブルモデム、ＯＮＴ部等）にロードバランシングアルゴリズムを実装してもよい。このようにして、共有ＷＡＮバックホール４１４などの混雑したネットワーク通信経路により発生することがある衝突、バッファリングキュー、データの再送信、及び他の過剰なオーバーヘッド消耗を低減することにより、ネットワーク全体の効率を向上させることができる
【０１３５】
別の実施形態によれば、管理デバイス４２５の収集モジュールは、ＷＡＮ事業者（例えば、ＷＡＮ４０５Ｂ）から近傍分析を収集するが、近傍分析は管理デバイスとの共有の地理的領域４６９内の複数の位置について無線ＬＡＮ伝送チャネルを記述する。例えば、近所や共有の地理的領域４６９内に、複数の異なるＬＡＮに４１０Ｄ、４１０Ｅ、及び４１０Ｆがある。別個のＬＡＮの４１０Ｄ−Ｆの各々は、ＩＳＰや広域ネットワーク事業者のようなＷＡＮ４０５Ｂに情報４４０を送信している。ＬＡＮの各経由で送信される情報４４０は、情報を発信した無線ＬＡＮについての様々な特性を記述することができる。一実施形態では、ＷＡＮの４０５Ｂは、情報４４０を集約し、近傍分析などの集計情報を利用できるようにする。それぞれのＬＡＮ４１０Ｄ−Ｆの各々の内の各管理デバイス４２５はその後近傍分析を収集して分析し、さらに、ＷＡＮ４０５Ｂから収集された情報に基づいて対応するＬＡＮ４１０Ｄ−Ｆ内の動作の変更を実施してもよい。
【０１３６】
したがって、一実施形態によれば、近傍分析に基づいてＬＡＮデバイスの構成を変更するために、管理デバイス４２５によって命令が生成される。一実施形態では、生成された命令は、管理デバイス４２５との近傍又は共有の地理的領域４６９内においてＬＡＮデバイスと他の複数の場所との間の無線干渉を最小にする管理デバイス４２５と通信可能にインターフェースするＬＡＮデバイスについてＬＡＮ無線伝送チャネルを選択する。いくつかの実施形態では、種々のＬＡＮ４１０Ｄ−Ｆ内の管理デバイスの各々は、類似の命令を実施するが、それぞれのＬＡＮ４１０Ｄ−Ｆ内の管理デバイス４２５は、近傍分析がＷＡＮ４０５Ｂから収集されるときに、他の管理デバイス４２５の動作の認識を有している必要はない。代替の実施形態では、ＷＡＮ４０５Ｂ内又は他の場所に配置管理デバイスは、ＷＡＮ４０５Ｂ内又は複数の別個のＬＡＮの４１０Ｄ−Ｆ内の管理イベント４７２を介して動作変更を実施するための命令を開始してもよい。
【０１３７】
上記の実施形態では、個々のＬＡＮ４１０Ａ−Ｆの動作効率は、近傍分析に基づいて、近接したＬＡＮ間の干渉を低減することにより改善されることがある。このような情報は、例えば、仮想的にレンダリングされた近傍又は共有の地理的領域４６９に重複する識別子をマッピングすることに基づいて、又は代替的に、複数のＬＡＮ４１０の地理的位置の実際の知識に基づいて、例えば、物理的な場所に、加入者のサービスアドレス情報を相互参照することによって、ＷＡＮ事業者によって相関することがある。
【０１３８】
診断は、同様に、複数の別個のＬＡＮに４１０から得られた近傍分析に依存していることがある。複数のＬＡＮ側のデバイスの各々が同時に同様の障害を及ぼすという統計的により低いであろう一致よりもむしろ、例えば、高いエラーカウント、又は異常リトレイン／モデムのリセットを呈する複数のＬＡＮデバイス４１０Ａ−Ｆは、ＷＡＮ４０５ＡＢのインフラス内の障害を示すものでよい。補完的な方法で、共通の地理的領域内の複数のＬＡＮ４１０Ａ−Ｆ又は単一の共有バックホール４１４に関連する複数のＬＡＮからの近傍分析は、近隣のＬＡＮ４１０Ａ−Ｆで動作している同じようなデバイスが近傍分析中の対応するエラーや障害対応を提供しない特定のエンドユーザ消費者のローカルエリアネットワーク内のＬＡＮ側の障害を診断するのを体系的に補助することができる。
【０１３９】
図５（ａ）は、それに従って実施形態が動作し、実施され、統合され、又は構成されるシステム５００の概略図を示す。
【０１４０】
一実施形態では、システム５００は、メモリ５９５とプロセッサ又はプロセッサ５９６を含んでいる。例えば、メモリ５９５は実行される命令を格納してもよいし、プロセッサ５９６はこのような命令を実行してもよい。プロセッサ５９６はまた、実装又は本明細書に記載の方法論を実施するためのロジックを有する実施ロジック５６０を実施し又は実行してもよい。システム５００は、通信可能に一つ以上の通信バス５１５とインターフェースする複数の周辺機器の間でシステム５００内の交渉、命令、要求、及びデータを転送する通信バス（複数可）５１５を含む。一実施形態では、システム５００は、システム５００内、及び複数の周辺機器間で情報、トランザクション、命令、要求、及びデータをインターフェースし、転送し、交渉し、引継ぎ、及び／又は通信する通信バス５１５を含む。システム５００は更に、例えば、要求を受信し、応答を返し、そうでなければシステム５００とは別個に位置するネットワーク要素とインターフェースする管理インターフェース５２５を含む。
【０１４１】
いくつかの実施形態では、管理インターフェース５２５は、ＬＡＮ及び／又はＷＡＮベースの通信から分離した帯域外接続を介して情報を通信し、「帯域内」通信はネットワークデバイス間で交換されるペイロードデータ（例えば、コンテンツ）としての同じ通信手段を通過する通信であり、「帯域外」通信はペイロードデータを通信する機構とは別の孤立した通信手段を通過する通信である。帯域外接続は、管理デバイス５０１（又は、１７０、３２５又は４２５のいずれか）とネットワークデバイスとの間、又は管理デバイス５０１とサードパーティのサービスプロバイダとの間の制御データを通信する冗長又はバックアップのインターフェースとして機能してもよい。
【０１４２】
システム５００は、さらに、ＬＡＮ内からＬＡＮ情報の収集を含み、ＬＡＮ内の他のエンティティへの情報及び診断レポート作成し、ＬＡＮを介して命令とコマンドを開始するＬＡＮベースの接続を介して情報を通信するためのＬＡＮインターフェース５３０を含む。ＬＡＮインターフェース５３０を介して通信される情報は、いくつかの実施形態では、ＬＡＮをＬＡＮからＷＡＮインターフェースに通過してもよく、接続されたＷＡＮ内の目的地まで継続してもよい。システム５００はさらに、ＷＡＮ内からＷＡＮの情報を収集することを含み、ＷＡＮ内の他のエンティティへの情報及び診断を報告し、及びＷＡＮを介して命令とコマンドを開始するＷＡＮベースの接続を介して情報を通信するＷＡＮインターフェース５３５を備える。
【０１４３】
システム５００は、さらに、長期トレンド分析や報告分析を行う際に分析又は参照してもよい格納された履歴情報５５０を含む。システム５００は、さらに、いずれも動作条件の識別に応答して開始できる複数の管理イベント５５５を含んでもよい。例えば、是正措置、追加の診断、情報プローブ、構成変更要求、ローカルのコマンド、リモート実行コマンドなどによって指定され、管理イベント５５５としてトリガすることができる。同様に、格納された管理イベント５５５に応じて、動作レポート、設定レポート、ネットワーク活動レポートと診断レポートが生成され、送信されてもよい。格納された履歴情報５５０及び管理イベント５５５は、ハードドライブ、永続データストア、データベース、又はシステム５００内の他の記憶位置に格納してもよい。
【０１４４】
収集モジュール５７０、分析モジュール５７５、診断モジュール５８０、及び実装モジュール５８５を含む管理デバイス５０１がシステム５００内に別個にある。管理デバイス５０１は、インストールされ、図５Ａで示されているように、互換性のあるシステム５００において実施及び構成することができ、又は適切な実施しているロジック５６０又は他のソフトウェアと連携して動作するように別々に提供される。
【０１４５】
一実施形態によれば、収集モジュール５７０は、管理インターフェース５２５、ＬＡＮインターフェース５３０、及び／又はＷＡＮインターフェース５３５の一つ以上を含む、システム５００のインターフェースを介して、例えばＬＡＮ情報及びＷＡＮ情報として利用可能なソースからの情報を収集する。分析モジュール５７５は、収集モジュール５７０を介して取得した情報を分析する。一部の実施形態では、ＬＡＮ及びＷＡＮ情報は、収集されたＷＡＮ情報に基づいてＬＡＮ内の動作条件を識別するため、又は、収集されたＬＡＮ情報に基づいてＷＡＮ内の動作条件を識別するために一緒に分析される分析モジュール５７５は、格納された履歴情報５５０に基づいて長期的なトレンド分析をさらに実行してもよく、又は複数の分離した別個のＬＡＮから得た集約データに基づいて近傍分析を行ってもよく、又は、受信したＬＡＮの情報セットに基づいて、及び／又は受信したＷＡＮバックホール接続情報セットに基づいて、他の合同の分析を行ってもよい。診断モジュール５８０は、分析モジュール５７５とは連携して又は別に専門的な診断ルーチン及びアルゴリズムを実施してもよい。診断モジュール５８０は、さらなる分析のための追加の診断情報の出力を取得したり、トリガする追加のプロービング診断を行ったりしてもよい。実施モジュール５８５を実施し、ローカル又はリモートで実行される命令を生成してインスタンス化し、設定変更要求を生成して送信し、動作レポート、診断レポート、及び構成レポートを生成して送信することを含む様々な管理イベント５５５を開始する。
【０１４６】
図５Ｂは、それに従って実施形態が動作し、実施され、統合された、又は設定されるシステム５０２の概略図を示している。メモリ５９５、プロセッサ、バス５１５、システム５０２のサブコンポーネント５９１、５９０と通信することを含むシステム５０２と通信するための管理インターフェース５２５、ＬＡＮインターフェースのＬＡＮとＬＡＮデバイスと通信できる５３０、ＷＡＮインターフェースのＷＡＮ、ＷＡＮバックホール接続及びＷＡＮデバイスと通信することが可能な５３５、及び実施ロジック５６０が前に描かれている。
【０１４７】
トラフィック集約部５９１及びトラフィック集約解除器５９０は、別々のシステム５０２の中に描かれている。トラフィック集約部５９１は、データ、パケット、トラフィック、制御信号やメッセージなどを受信するに受信部５８１を含む。トラフィック集約部５９１は、単一の論理バックホール接続に複数の別個のＷＡＮバックホール接続を結合するためにバックホール結合部５８２を含んでいる。トラフィック集約部５９１は、別個のＬＡＮ接続などの複数の別個の接続に関連付けられた、データ、パケット、トラフィックなどを収集及び集計するデータ集約部５８３を備え、トラフィック集約部５９１によって形成された論理的に結合したバックホール接続上に、着信データ、パケット、トラフィックなどを配置する。ひとたびデータ集約器５８３によって集計されたデータ、パケット、トラフィックなどは、送信、転送、又は送信部５８４を経由してルーティングされる。
【０１４８】
トラフィックの集約解除器５９０などは、着信データ、パケット、トラフィックなどを受信する受信部５９１を備える。例えば、このような着信データ、パケット、制御パケット、トラフィックは、インターネットを介してアクセス可能なソースからのように、ＷＡＮ内の様々な供給源に由来してもよく、トラフィック集約解除器５９０と通信可能にインターフェースしたＬＡＮの１に向かってもよい。トラフィック集約解除器５９０は、受信部５９１によって受信される着信データ、パケット、トラフィック等を分割、分離、分配、集約解除する集約解除部５９３をさらに含む。例えば、トラフィック集約解除器５９０に入ってくるデータは、実施形態の記載に従って、発信元又は標的源に送信する異なるＷＡＮリンクバックホール接続上に分割して配置する必要がある。トラフィック集約解除器５９０は、上記のように指定されたターゲットに送信する複数のＷＡＮリンクバックホール接続上に集約解除したデータ、パケット、フレーム等を配置する送信手段５９４をさらに含む。
【０１４９】
図６Ａ、６Ｂ、及び６Ｃは、記載した実施形態に従い、トラフィック集約の方法；トラフィックのロードバランシングの方法；自己修復の方法をそれぞれ示すフロー図６００Ａ、６００Ｂ、及び６００Ｃ図である。方法６００Ａ、６００Ｂ、及び／又は６００は、ハードウェア（例えば、回路、専用ロジック、プログラマブルロジック、マイクロコードなど）、ソフトウェア（例えば、分析、診断、又はこれらの組み合わせに応答して、インターフェース機能、情報を収集、監視、診断及び報告すること、管理イベントは、コマンドと命令を開始／実行することなどさまざまな動作を実行する処理デバイス上で実行される命令）を含むことができるロジックの処理によって実行されてもよい。一実施形態では、方法６００Ａ、６００Ｂ、及び６００Ｃは、図１の要素１７０で示したような管理デバイスを介して、又は、図５Ａの要素５０１ に示したような管理デバイスを介して実行又は調整される。他の実施形態は、図２Ａで開始する要素２２５及び図５Ｂの要素５９１において説明するトラフィック集約部を利用する。さらに他の実施形態は、図２Ｂで開始する要素２３５及び図５Ｂの要素５９０に記載されているようなトラフィック集約解除器を利用する。下記のブロック及び／又は動作のうちのいくつかは特定の実施形態によるオプションである。提示されたブロックの番号付けは、明瞭にするためであり、様々なブロックが発生しなければならない動作の順序を規定することを意図するものではない。さらに、様々なフロー６００Ａ、６００Ｂ及び６００Ｃからの動作は、様々な組み合わせで利用することができる。
【０１５０】
方法６００Ａは、ブロック６０２で記載したように、第１のアクセスデバイスを介して第１のローカルキエリアネットワーク（ＬＡＮ）を確立するロジックを処理することから始まる。ブロック６０４において、ロジックの処理は、第２のアクセスデバイスを介して第２のＬＡＮを確立する。
【０１５１】
ブロック６０６において、ロジックの処理は第１のワイドエリアネットワーク（ＷＡＮ）バックホール接続を介してＷＡＮ接続を備えた第１のＬＡＮアクセスデバイスを提供し、ブロック６０８において、ロジック処理は第２のＷＡＮバックホール接続を介してＷＡＮ接続を有する第２のＬＡＮアクセスデバイスを提供する。
【０１５２】
ブロック６１０において、ロジックの処理は、トラフィック集約部を通信可能にインターフェースする。
【０１５３】
ブロック６１２では、ロジックの処理は、第１のＷＡＮバックホールと第２のＷＡＮバックホールを介して論理的に結合したＷＡＮインターフェースを形成している。
【０１５４】
ブロック６１４では、ロジックの処理は、異なる接続からのトラフィック集約されたトラフィックに結合している。
【０１５５】
ブロック６１６において、ロジックの処理は、通信可能にトラフィック集約解除器をインターフェースする。
【０１５６】
ブロック６１８において、ロジックの処理は第１のＬＡＮ及び第２のＬＡＮの両方に由来するトラフィックに関連するインターネットプロトコル（ＩＰ）アドレスを結合する。
【０１５７】
ブロック６２０において、ロジックの処理は結合したＩＰアドレスを有するトラフィックをトラフィック集約解除器を介してルーティングする。
【０１５８】
ブロック６２２において、ロジックの処理は、障害イベントに応答して論理的に結合したＷＡＮインターフェースへの代替バックアップ通信経路を提供する。
【０１５９】
方法６００Ｂは、ブロック６４０で記載されたように、第１のアクセスデバイスを介して第１のローカルエリアキネットワーク（ＬＡＮ）を確立するロジックの処理から始まる。ブロック６４２において、ロジックの処理は、第２のアクセスデバイスを介して第２のＬＡＮを確立する。
【０１６０】
ブロック６４４において、ロジックの処理は、第１のワイドエリアネットワーク（ＷＡＮ）バックホール接続を介してＷＡＮ接続を備えた第１のＬＡＮアクセスデバイスを提供し、ブロック６４６において、ロジックの処理は第２のＷＡＮバックホール接続を介してＷＡＮ接続を有する第２のＬＡＮアクセスデバイスを提供する。
【０１６１】
ブロック６４８において、ロジックの処理は、管理デバイスと通信可能にインターフェースする。
【０１６２】
ブロック６５０において、ロジックの処理は、第１のＬＡＮから第１のＷＡＮバックホール接続上にトラフィックの第１の部分をルーティングする。
【０１６３】
ブロック６５２において、ロジックの処理は、第１のＬＡＮから第２のＷＡＮバックホール接続上にトラフィックの第２の部分をルーティングする。
【０１６４】
ブロック６５４において、ロジックの処理は、第１のＬＡＮ又は第２のＬＡＮ又は両方のロードバランシングを実施する。
【０１６５】
ブロック６５６において、ロジックの処理は、個々に第１又は第２のＷＡＮバックホール接続の転送速度よりも大きいＷＡＮ接続の集約転送速度を実施する。
【０１６６】
ブロック６５８において、ロジックの処理は、第２のＷＡＮバックホール接続に関連付けられている帯域幅の一部を第１のＬＡＮアクセスデバイスに割り当る。
【０１６７】
ブロック６６０では、ロジックの処理は、第１のＬＡＮアクセスデバイスから第２のＬＡＮアクセスデバイスへの無線通信リンクにわたり、第２のＷＡＮバックホール接続上に、トラフィックの第２の部分をルーティングするか又は切り替えるように第１のＬＡＮデバイスに指示する。
【０１６８】
ブロック６６２において、ロジックの処理は、第１及び第２のＷＡＮバックホール接続と、第１及び第２のＬＡＮとに関する情報を収集する。
【０１６９】
ブロック６６４において、ロジックの処理は、動作条件を識別するために収集された情報を合同で分析する。
【０１７０】
ブロック６６６において、ロジックの処理は、動作条件が識別されたことに応答し、管理イベントを開始する。
【０１７１】
ブロック６６８において、ロジックの処理は、動作条件に応答し、ネットワーク要素への設定変更を指定する命令を生成する。
【０１７２】
方法６００は、ブロック６８０に記載したように、第１のアクセスデバイスを介した第１のローカルエリアネットワーク（ＬＡＮ）を確立するロジックの処理から始まる。ブロック６８２では、ロジックの処理は、第２のアクセスデバイスを介して第２のＬＡＮを確立する。
【０１７３】
ブロック６８４において、ロジックの処理は第１のワイドエリアネットワーク（ＷＡＮ）バックホール接続を介したＷＡＮ接続を備えた第１のＬＡＮアクセスデバイスを提供し、ブロック６８６において、ロジックの処理は第２のＷＡＮバックホール接続を介したＷＡＮ接続を有する第２のＬＡＮアクセスデバイスを提供する。
【０１７４】
ブロック６８８において、ロジックの処理は、管理デバイスを通信可能にインターフェースする。
【０１７５】
ブロック６９０において、ロジックの処理は、第１のＬＡＮアクセスデバイス内から、ＬＡＮアクセスデバイスとＷＡＮアクセスデバイスとは別の外部に独立した物理的に別個のデバイス内から、又はサービスプロバイダ内から管理デバイスを実施し、そこから管理デバイスを動作させる。
【０１７６】
ブロック６９２で、障害イベントに応じたロジックの処理のトラフィックを再ルーティングする。
【０１７７】
ブロック６９４において、ロジックの処理は、ＳＯＮＥＴ又はＳＤＨ互換性の迅速な再ルーティング機能を実行する。
【０１７８】
ブロック６９６において、ロジックの処理は、接続性の全損失によって特徴付けられるハード障害イベントに応答して第１のトラフィックを再ルーティングする動作を行う。
【０１７９】
ブロック６９８において、ロジックの処理は、劣化した接続性によって特徴付けられるソフト障害イベントに応答して第２のトラフィックの再ルーティングする動作を行う。
【０１８０】
図７は、一実施形態による、コンピュータシステムの例示的な形態でマシン７００の概略図を示し、その中で命令セットは、本明細書で論じた方法のうちの任意の１つ又は複数をマシン７００に実行させるように実行されてもよい。代替の実施形態では、マシンは、ローカルエリアネットワーク（ＬＡＮ）、ワイドエリアネットワーク、イントラネット、エクストラネット、又はインターネット内の他のマシンに接続され（例えば、ネットワークされ）てもよい。マシンは、クライアントサーバネットワーク環境のサーバ又はクライアントマシンの容量において、又はピアツーピア（又は分散）ネットワーク環境におけるピアマシンとして動作してもよい。マシンの特定の実施形態は、パーソナルコンピュータ（ＰＣ）、タブレットＰＣ、セットトップボックス（ＳＴＢ）、パーソナルデジタルアシスタント（ＰＤＡ）、携帯電話、ウェブアプライアンス、サーバ、ネットワークルータ、スイッチ又はブリッジ、コンピューティングシステム、又はマシンの取るアクションを指定する（シーケンシャル又はそれ以外の）命令セットを実行できる任意のマシンの形態であってもよい。さらに、単一のマシンのみが示されているが、用語「マシン」は、本明細書で説明した一つ以上の方法論を行う命令のセット（もしくは複数のセット）を個々に又は合同で実行するマシン（例えば、コンピュータ）の任意の集合を含むと解釈される。
【０１８１】
典型的なコンピュータシステム７００は、プロセッサ７０２、メインメモリ７０４（例えば、読み出し専用メモリ（ＲＯＭ）、フラッシュメモリ、シンクロナスＤＲＡＭ（ＳＤＲＡＭ）又はランバスＤＲＡＭ（ＲＤＲＡＭ）のようなダイナミックランダムアクセスメモリ（ＤＲＡＭ）等、フラッシュメモリのようなスタティックメモリ、スタティックランダムアクセスメモリ（ＳＲＡＭ）、揮発性であるが高データレートのＲＡＭなど）、及び二次メモリ７１８（例えば、ハードディスクドライブ、永続的なデータベース実装を含む、永続記憶デバイス）などを含み、これらはバス７３０を介して互いに通信する。メインメモリ７０４は、管理デバイス、トラフィック集約手段、及び／又は本明細書に記載されるトラフィック集約解除器の様々な実施形態に関連する機能を行い、実行するために必要な情報及び命令及びソフトウェアプログラムコンポーネントを含む。例えば、履歴ＷＡＮ／ＬＡＮ情報７２４は、収集されたＬＡＮからのＬＡＮ情報やＷＡＮからのＬＡＮ情報であり、これらはある期間にわたって収集し、トレンド分析を行うために後で参照してもよい。管理イベントは、過去のＷＡＮ／ＬＡＮ情報７２４に基づいて開始されてもよい。動作条件は、過去のＷＡＮ／ＬＡＮ情報７２４から導出してもよい。このような過去のＷＡＮ／ＬＡＮ情報７２４は、ＬＡＮやＷＡＮを、又はＷＡＮリンクバックホール接続から収集されたもののような様々な情報セットを含んでもよく、履歴ＷＡＮ／ＬＡＮ情報７２４は近傍分析を含んでもよい。管理イベント７２３は、メインメモリ７０４内に管理デバイス７３４によって収集され決定されたものとして記憶されてもよい。メインメモリ７０４及びそのサブ要素（例えば７２３及び７２４）は、本明細書で論じる方法を実行するために、ロジックの処理７２６及び／又はソフトウェア７２２及びプロセッサ７０２と連携して動作可能である。
【０１８２】
プロセッサ７０２は、マイクロプロセッサ、中央処理デバイス、等のような一つ以上の汎用処理デバイスを表す。より具体的には、プロセッサ７０２は、複合命令セットコンピューティング（ＣＩＳＣ）マイクロプロセッサ、縮小命令セットコンピューティング（ＲＩＳＣ）マイクロプロセッサ、超長命令語（ＶＬＩＷ）マイクロプロセッサ、プロセッサ実装する他の命令セット、又は命令セットの組み合わせを実現するプロセッサであってもよい。プロセッサ７０２はまた、特定用途向け集積回路（ＡＳＩＣ）、フィールドプログラマブルゲートアレイ（ＦＰＧＡ）、デジタル信号プロセッサ（ＤＳＰ）、ネットワークプロセッサ等のような一つ以上の専用処理デバイスであってもよい。プロセッサ７０２は、本明細書で説明される動作及び機能を実行するための処理ロジック７２６を実行するように構成されている。
【０１８３】
コンピュータシステム７００は、そこから情報が分析のために収集される一つ以上ネットワーク７２０を有するコンピュータシステム７００と通信可能にインターフェースする一つ以上のネットワークインターフェースカード７０８をさらに含んでもよい。コンピュータシステム７００はまた、（ビデオ表示部、液晶ディスプレイ（ＬＣＤ）又は陰極線管（ＣＲＴ）のような）ユーザインタフェース７１０、英数字入力デバイス７１２（例えばキーボード）、カーソル制御デバイス７１４（例えば、マウス）及び信号生成デバイス７１６（例えば、内蔵スピーカー）を含んでもよい。コンピュータシステム７００は、さらに、周辺デバイス７３６（例えば、無線又は有線通信デバイス、メモリデバイス、記憶デバイス、音声処理デバイス、映像処理デバイスなど）を含んでもよい。コンピュータシステム７００は、ネットワークのインターフェース、情報の監視、収集、分析及びを報告、及び識別された動作条件を変更するためのコマンド及び命令の実行を含む種々の管理イベントを開始し、トリガ、及び実行することが可能な管理デバイス７３４の機能を実行してもよく、又は、診断断層の是正措置だけでなく、ここに記載された様々な他の機能と動作を実行してもよい。データ集約部７３５は、例えば、ＬＡＮデバイス又はＬＡＮノードのようなソースに関連付けられたデータ、トラフィック、フレーム、パケット等を収集して結合するなどのデータ集約動作を実施する。データ集約解除器７３３は、接続されたＬＡＮ内のノード又はデバイスのように、ターゲットに向けられたソースからデータ、トラフィック、フレーム、パケットなどを収集し、分割し、分配し、分離するようなデータ集約解除の動作を実行する。
【０１８４】
二次メモリ７１８は、非一時的なマシン可読記憶媒体（又はより具体的には非一時的なマシンアクセス可能記憶媒体）７３１を含んでもよく、本明細書で説明される方法又は機能のいずれか一つ以上を具現化する命令（例えば、ソフトウェア７２２）の一つ又は複数のセットを保存してもよい。ソフトウェア７２２は、メインメモリ７０４内に常駐もし、又は代替して常駐してもよく、コンピュータシステム７００によってその実行中にプロセッサ７０２内に完全に又は少なくとも部分的に常駐してもよく、メインメモリ７０４及びプロセッサ７０２はまた、マシン可読記憶媒体を構成する。ソフトウェア７２２はさらに、ネットワークインターフェースカード７０８を介してネットワーク７２０上に送信又は受信されてもよい。
【０１８５】
本明細書で開示される主題は、一例として特定の実施形態に関して説明したが、特許請求される実施形態は開示された明示的に列挙した実施形態に限定されるものではないことを理解すべきである。反対に、本開示は、当業者に明らかであるように様々な改変及び類似の構成を包含することが意図される。したがって、すべてのそのような修正及び類似の配置を包含するように、添付の特許請求の範囲は広く解釈されるべきである。上記の説明は例示であって制限的なものではないことを意図していることを理解すべきである。多くの他の実施形態は、上記の説明を読み、理解することにより当業者には明らかであろう。開示される主題の範囲は、そのような特許請求の範囲が権利を与えられるための均等物の全範囲とともに、添付の特許請求の範囲を参照して決定すべきことである。
【図１】
2015503295.tif 000003
【図２Ａ】
2015503295.tif 000004
【図２Ｂ】
2015503295.tif 000005
【図２Ｃ】
2015503295.tif 000006
【図２Ｄ】
2015503295.tif 000007
【図２Ｅ】
2015503295.tif 000008
【図２Ｆ】
2015503295.tif 000009
【図２Ｇ】
2015503295.tif 000010
【図２Ｈ】
2015503295.tif 000011
【図３Ａ】
2015503295.tif 000012
【図３Ｂ】
2015503295.tif 000013
【図３Ｃ】
2015503295.tif 000014
【図３Ｄ】
2015503295.tif 000015
【図３Ｅ】
2015503295.tif 000016
【図４Ａ】
2015503295.tif 000017
【図４Ｂ】
2015503295.tif 000018
【図４Ｃ】
2015503295.tif 000019
【図４Ｄ】
2015503295.tif 000020
【図４Ｅ】
2015503295.tif 000021
【図４Ｆ】
2015503295.tif 000022
【図４Ｇ】
2015503295.tif 000023
【図５Ａ】
2015503295.tif 000024
【図５Ｂ】
2015503295.tif 000025
【図６Ａ】
2015503295.tif 000026
【図６Ｂ】
2015503295.tif 000027
【図６Ｃ】
2015503295.tif 000028
【図７】
2015503295.tif 000029
【国際調査報告】
2015503295.tif 000030
2015503295.tif 000031
2015503295.tif 000032